(57)【要約】【課題】吸収速度の低下や漏れを生じることなく、吸収体の広い範囲を有効活用できるようにする。【解決手段】吸収体４の少なくとも表面シート３側の面に、表面シート３との間に空間を形成しながら裏面シート２側に向けて窪ませた、吸収体４の厚みを厚み方向に圧縮するコアプレス１０と、吸収体４の幅方向中央部に略幅方向に沿って延びる幅方向吸収体エンボス１４とが形成されている。幅方向吸収体エンボス１４と重なる部分及びその近傍でコアプレス１０を間欠させた非プレス部１５が、幅方向吸収体エンボス１４の周囲に沿って形成されている。表面シート３の外面に表面シート３から吸収体４までの間を一体的に裏面シート２側に向けて窪ませた長手方向表面エンボス２０が、生理用ナプキン１の幅方向中央部に長手方向に沿って延びるとともに、幅方向吸収体エンボス１４を横断するように形成されている。【選択図】図１
2019165926.tif 000002
【特許請求の範囲】
【請求項１】
透液性の表面シートと不透液性の裏面シートとの間に吸収体が介在された吸収性物品において、
前記吸収体の少なくとも前記表面シート側の面に、前記表面シートとの間に空間を形成しながら前記裏面シート側に向けて窪ませた、前記吸収体の厚みを厚み方向に圧縮するコアプレスと、前記吸収体の幅方向中央部に略幅方向に沿って延びる幅方向吸収体エンボスとが形成され、
前記幅方向吸収体エンボスと重なる部分及びその近傍で前記コアプレスを間欠させた非プレス部が、前記幅方向吸収体エンボスの周囲に沿って形成され、
前記表面シートの外面に前記表面シートから吸収体までの間を一体的に前記裏面シート側に向けて窪ませた長手方向表面エンボスが、吸収性物品の幅方向中央部に長手方向に沿って延びるとともに、前記幅方向吸収体エンボスを横断するように形成されていることを特徴とする吸収性物品。
【請求項２】
前記長手方向表面エンボスは、低圧搾部と高圧搾部とを有し、前記高圧搾部が前記長手方向表面エンボスが延びる方向に沿って間隔を空けて複数配置されている請求項１記載の吸収性物品。
【請求項３】
前記長手方向表面エンボスは、着用者の体液排出部に対応する領域から後側に延びるように設けられている請求項１、２いずれかに記載の吸収性物品。
【請求項４】
前記幅方向吸収体エンボスが、吸収性物品の長手方向に離隔して複数設けられている請求項１〜３いずれかに記載の吸収性物品。
【請求項５】
前記幅方向吸収体エンボスは、着用者の体液排出部に対応する領域の周囲を囲む環状に形成された圧搾溝の略幅方向に延びる部分及び吸収性物品の略幅方向に沿って延びる独立する圧搾溝のいずれか又はこれらの組み合わせからなる請求項１〜４いずれかに記載の吸収性物品。
【請求項６】
前記吸収体の厚みが５ｍｍ以下である請求項１〜５いずれかに記載の吸収性物品。
【発明の詳細な説明】
【技術分野】
【０００１】
本発明は、主には生理用ナプキン、おりものシート、失禁パッド、トイレタリー等に使用される吸収性物品であって、詳しくは吸収体の厚みを薄型化したスリムタイプの吸収性物品において、吸収体を窪ませて所定の圧搾溝を形成することによって、体液の吸収速度の低下や漏れを生じることなく、吸収体の広い範囲を有効活用できるようにした吸収性物品に関する。
【背景技術】
【０００２】
従来より、前記吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
前記吸収体の厚みを薄型化したスリムタイプの吸収性物品は、装着時の違和感が軽減できる、装着時に吸収性物品の凹凸が着衣の外から見えにくくなる（アウターに響かなくなる）などの利点を有するため、広く市場に提供されている。
【０００４】
しかしながら、このようなスリムタイプの吸収性物品において、吸収体を厚み方向に圧縮するプレス加工を施すことにより、吸収体の厚みを薄型化したものでは、体液の吸収速度が低下する問題が指摘されていた。一般に、吸収体が体液に接触して吸水するメカニズムは、先ず体液が吸収体を構成しているパルプ等の繊維表面に付着し、次いで繊維と繊維との間（繊維間空隙）を毛管作用により吸収体の内部に浸透する。したがって、吸収体の吸水性は、パルプ自体の吸水性、繊維表面のぬれ性の他、繊維の組織や密度など吸収体の構造にも密接に関係している。同一のパルプを用いた場合、繊維密度が低いものほど繊維間空隙が大きくなるため、吸水性が高くなると考えられる。したがって、プレス加工を施すことによって繊維が圧密化された部分では、繊維間空隙が小さいために体液の初期吸収速度が遅くなる。
【０００５】
また、スリムタイプの吸収性物品は、吸収体の厚みが薄いため、単位面積当たりの吸収容量が小さく、厚み方向に対する液保持能力が低いことから、平面方向に拡散させることで、吸収体が本来備える吸収性能を有効活用できるようにすることが求められている。
【０００６】
このような拡散性を向上する技術として、下記特許文献１には、吸収性コアに、該吸収性コアを厚み方向に貫通する孔からなる非積繊部が、股下部を通って縦方向に延びるように形成された吸収性物品が開示されている。また、下記特許文献２には、複数本の高密度部と複数本の低密度部とが、それぞれ、吸収体の長手方向に延びて形成されており、該高密度部と該低密度部とは、吸収体の幅方向に交互に形成されている吸収性物品が開示されている。
【先行技術文献】
【特許文献】
【０００７】
【特許文献１】特開２０１６−１１２０８１号公報
【特許文献２】特開２０１０−１３６８９９号公報
【発明の概要】
【発明が解決しようとする課題】
【０００８】
しかしながら、上記特許文献１に記載された吸収性物品では、非積繊部を伝って体液が後側に勢いよく流れやすいため、体液が非積繊部の後側端部に到達して吸収体の一部に体液が集中するおそれがあり、この場合には漏れが生じやすくなる。また、スリムタイプの吸収性物品では、吸収体に非積繊部を設けると、その分だけ体液の吸収容量が低下するため、吸収性能が悪化するおそれがある。
【０００９】
また、上記特許文献２に記載された吸収性物品では、高密度部と低密度部とが交互に形成されているので、吸収体の厚みが厚くなる傾向にあり、スリムタイプの吸収性物品には不向きである。また、前記高密度部が吸収体の長手方向に延びているため、この高密度部を伝って高密度部の端部に体液が拡散しやすく、吸収体の端部からの漏れが懸念される。
【００１０】
そこで本発明の主たる課題は、吸収速度の低下や漏れを生じることなく、吸収体の広い範囲を有効活用できるようにした吸収性物品を提供することにある。
【課題を解決するための手段】
【００１１】
上記課題を解決するために請求項１に係る本発明として、透液性の表面シートと不透液性の裏面シートとの間に吸収体が介在された吸収性物品において、
前記吸収体の少なくとも前記表面シート側の面に、前記表面シートとの間に空間を形成しながら前記裏面シート側に向けて窪ませた、前記吸収体の厚みを厚み方向に圧縮するコアプレスと、前記吸収体の幅方向中央部に略幅方向に沿って延びる幅方向吸収体エンボスとが形成され、
前記幅方向吸収体エンボスと重なる部分及びその近傍で前記コアプレスを間欠させた非プレス部が、前記幅方向吸収体エンボスの周囲に沿って形成され、
前記表面シートの外面に前記表面シートから吸収体までの間を一体的に前記裏面シート側に向けて窪ませた長手方向表面エンボスが、吸収性物品の幅方向中央部に長手方向に沿って延びるとともに、前記幅方向吸収体エンボスを横断するように形成されていることを特徴とする吸収性物品が提供される。
【００１２】
上記請求項１記載の発明では、吸収体にコアプレスを施すことにより、吸収体を厚み方向に圧縮したスリムタイプの吸収性物品である。前記コアプレスを施すことにより、吸収体の繊維の疎密差が形成され、吸収体内部の拡散性を向上させることができる。
【００１３】
また、前記長手方向表面エンボスを、吸収性物品の幅方向中央部に長手方向に沿って形成することにより、この長手方向表面エンボスの内部を流れて吸収性物品の長手方向に対する拡散性を向上させている。ここで、前記長手方向表面エンボスの底面は、圧搾により押し固められ、繊維密度が非常に高くなっているため、体液の吸収性能が著しく低下している。また、長手方向表面エンボスの側面においても前記コアプレスが施された部分では、コアプレスによって繊維が圧密化しているため、体液が吸収しにくくなっている。しかしながら、本発明では、前記長手方向表面エンボスが幅方向吸収体エンボスを横断するように形成されているため、長手方向表面エンボスを流れる体液の一部が前記幅方向吸収体エンボスに流入して幅方向吸収体エンボスにおいて吸収体に吸収されるようになる。また、幅方向吸収体エンボスにおいては、繊維密度が小さく繊維間空隙が大きな非プレス部が周囲に沿って配置されているため、幅方向吸収体エンボスの側面から体液が浸透しやすくなっている。非プレス部に浸透した体液は、幅方向吸収体エンボスに沿って幅方向に拡散するとともに、前記コアプレスとの繊維の疎密差に伴う毛管作用により、吸収体の広い範囲に拡散しやすくなっている。また、前記非プレス部から繊維間空隙が小さな吸収体の内部に浸透した体液は、繊維間空隙が大きな非プレス部に移行にくい性質を有しているため、幅方向吸収体エンボスに逆戻りしにくい構造となっている。
【００１４】
このように、本吸収性物品では、吸収体の厚みを薄型化したスリムタイプの吸収性物品において、吸収速度の低下や漏れを生じることなく、吸収体の広い範囲を有効活用して、より多くの体液を吸収保持できるようになる。
【００１５】
請求項２に係る本発明として、前記長手方向表面エンボスは、低圧搾部と高圧搾部とを有し、前記高圧搾部が前記長手方向表面エンボスが延びる方向に沿って間隔を空けて複数配置されている請求項１記載の吸収性物品が提供される。
【００１６】
上記請求項２記載の発明では、前記長手方向表面エンボスが低圧搾部と複数の高圧搾部とを有するため、底面が凹んでいる前記高圧搾部を体液が通過する際に、体液の流速が一時的に減少し、長手方向表面エンボスを体液が勢いよく流れるのが抑制できる。
【００１７】
請求項３に係る本発明として、前記長手方向表面エンボスは、着用者の体液排出部に対応する領域から後側に延びるように設けられている請求項１、２いずれかに記載の吸収性物品が提供される。
【００１８】
上記請求項３記載の発明では、着用者の体液排出部に対応する領域から後側に延びるように前記長手方向表面エンボスを設けることにより、この領域に排出された体液を吸収性物品の後方に拡散しやすくしている。
【００１９】
請求項４に係る本発明として、前記幅方向吸収体エンボスが、吸収性物品の長手方向に離隔して複数設けられている請求項１〜３いずれかに記載の吸収性物品が提供される。
【００２０】
上記請求項４記載の発明では、前記幅方向吸収体エンボスを吸収性物品の長手方向に離隔して複数設けることにより、長手方向表面エンボスを流れる途中で順次幅方向吸収体エンボスに体液が流れ込み、長手方向表面エンボスを流れる体液の流速が後方に向かうにしたがって徐々に小さくなり、長手方向表面エンボスの後端部に体液が勢いよく流れることなく、吸収体の後端からの漏れが防止できる。
【００２１】
請求項５に係る本発明として、前記幅方向吸収体エンボスは、着用者の体液排出部に対応する領域の周囲を囲む環状に形成された圧搾溝の略幅方向に延びる部分及び吸収性物品の略幅方向に沿って延びる独立する圧搾溝のいずれか又はこれらの組み合わせからなる請求項１〜４いずれかに記載の吸収性物品が提供される。
【００２２】
上記請求項５記載の発明では、前記幅方向吸収体エンボスとして、着用者の体液排出部に対応する領域の周囲を囲む環状の圧搾溝の略幅方向に延びる部分によって形成してもよいし、独立する圧搾溝によって形成してもよいことを規定している。いずれにおいても、長手方向表面エンボスを流れる体液が幅方向吸収体エンボスに流れ込み、体液を広い範囲に拡散させつつ吸収保持できるようになる。
【００２３】
請求項６に係る本発明として、前記吸収体の厚みが５ｍｍ以下である請求項１〜５いずれかに記載の吸収性物品が提供される。
【００２４】
上記請求項６記載の発明では、前記吸収体にコアプレスを施すことによって吸収体の厚み（最大厚み）が５ｍｍ以下の薄型にしている。
【発明の効果】
【００２５】
以上詳説のとおり本発明によれば、吸収速度の低下や漏れを生じることなく、吸収体の広い範囲を有効活用できるようになる。
【図面の簡単な説明】
【００２６】
【図１】本発明に係る生理用ナプキン１の一部破断展開図である。
【図２】図１のII−II線矢視図である。
【図３】図１のIII−III線矢視図である。
【図４】吸収体４の平面図である。
【図５】図４のV−V線矢視図である。
【図６】変形例に係る吸収体４の平面図である。
【図７】体液の流れを示す、図４のVII−VII線矢視図（吸収体４の縦断面図）である。
【発明を実施するための形態】
【００２７】
以下、本発明の実施の形態について図面を参照しながら詳述する。
【００２８】
〔生理用ナプキン１の基本構造〕
本発明に係る生理用ナプキン１は、図１〜図３に示されるように、ポリエチレンシートなどからなる不透液性の裏面シート２と、経血やおりものなど（以下、まとめて体液ともいう。）を速やかに透過させる透液性の表面シート３と、これら両シート２，３間に介装された綿状パルプまたは合成パルプなどからなる吸収体４と、肌当接面側の両側部に長手方向のほぼ全長に亘って設けられたサイド不織布７、７とを備え、かつ前記吸収体４の周囲においては、その上下端縁部では前記裏面シート２と表面シート３との外縁部がホットメルトなどの接着剤やヒートシール、超音波シール等の接合手段によって接合され、またその両側縁部では吸収体４よりも側方に延出している前記裏面シート２と前記サイド不織布７とがホットメルトなどの接着剤やヒートシール、超音波シール等の接合手段によって接合されることにより、吸収体が介在しないフラップ部が形成されたものである。なお、図示例では、前記吸収体４の形状保持および拡散性向上のために、前記吸収体４をクレープ紙又は不織布などからなる被包シート５で囲繞しているが、この被包シート５は設けなくてもよい。また、図示しないが、前記表面シート３の非肌側に隣接して、前記表面シート３とほぼ同形状の親水性の不織布などからなるセカンドシートを配設してもよい。
【００２９】
以下、さらに前記生理用ナプキン１の構造について詳述すると、
前記裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記裏面シート２の非肌側面（外面）にはナプキン長手方向に沿って１または複数条の粘着剤層（図示せず）が形成され、身体への装着時に生理用ナプキン１を下着に固定するようになっている。前記裏面シート２としては、プラスチックフィルムと不織布とを積層させたポリラミ不織布を用いてもよい。
【００３０】
次いで、前記表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００３１】
前記表面シート３の幅寸法は、図２及び図３の横断面図に示されるように、吸収体４の幅寸法よりも若干長めとされ、吸収体４を覆うだけに止まり、それより外方側は前記表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されたサイド不織布７が配設されている。
【００３２】
かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３３】
前記サイド不織布７は、図２に示されるように、幅方向中間部より外側部分を所定の内側位置から裏面シート２の外縁までの範囲に亘ってホットメルトなどの接着剤によって接着し、所定の位置に所定のフラップ部が形成されている。このフラップ部は、ほぼ体液排出部Ｈに対応する部分の両側部に左右一対のウイング状フラップＷ、Ｗを形成するとともに、これより臀部側（後部側）位置にヒップホールド用フラップＷＢ、ＷＢを形成してもよい。これらウイング状フラップＷ、Ｗおよびヒップホールド用フラップＷＢ、ＷＢの外面側にはそれぞれ粘着剤層（図示せず）が備えられ、ショーツに対する装着時に、前記ウイング状フラップＷ、Ｗを基端部の折返し線ＲＬ位置にて反対側に折り返し、ショーツのクロッチ部分に巻き付けて止着するとともに、前記ヒップホールド用フラップＷＢをショーツの内面に止着するようになっている。一方、前記サイド不織布７の内方側部分は表面シート３の肌側に積層された状態で吸収体４側（表面シート３の肌側面）に接着されている。
【００３４】
〔吸収体〕
前記裏面シート２と表面シート３との間に介在される吸収体４は、たとえばパルプと高吸水性ポリマーとにより構成されている。前記高吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３５】
本生理用ナプキン１は、吸収体４の目付を低くした薄型のスリムナプキンである。前記パルプの目付は、５０〜３００ｇ／ｍ２、好ましくは８０〜２２０ｇ／ｍ２とするのがよく、前記高吸水性ポリマーの目付は、３０〜１８０ｇ／ｍ２、好ましくは５０〜１６０ｇ／ｍ２とするのがよい。これらパルプ及び高吸水性ポリマーの目付は、一定である必要はなく、吸収体の部位によって変化させても良い。例えば、着用者の体液排出部Ｈに対応する領域においてパルプと高吸水性ポリマーの目付を高くした高吸収部を形成することができる。装着時の違和感を軽減し、アウターに響かなくするため、前記吸収体４の厚みは５ｍｍ以下、好ましくは２〜５ｍｍとするのがよい。また、吸収体の密度（平均密度）は、０．０１ｇ／ｃｍ３以上とするのがよい。
【００３６】
前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３７】
図４及び図５に示されるように、前記吸収体４の少なくとも前記表面シート３側の面（肌側の面）に、表面シート３との間に空間を形成しながら前記裏面シート２側（非肌側）に向けて窪ませたコアプレス１０が形成されている。このコアプレス１０は、前記吸収体４の厚みを厚み方向に圧縮するためのものであり、吸収体４の全面を圧縮するのではなく、所定の間隔をあけた所定のパターンで圧縮したものである。前記コアプレス１０を施した部分が厚み方向に圧縮されることによって、コアプレス１０を施さない部分の繊維がこれに引き込まれ、コアプレス１０を施さない部分が影響を受けてある程度圧縮されるため、吸収体４全体の厚みが厚み方向に小さくなる。前記「吸収体４の厚み」とは、吸収体４の全体の厚みであって、具体的には最も肉厚な部分において計測した最大厚みのことであり、（株）尾崎製作所製の定圧厚み測定器デジタルタイプＦＦＤ−７によって測定することができる。
【００３８】
前記コアプレス１０を施すことによって減少する厚みの割合としては、コアプレス１０を施す前の吸収体４の厚みをｔ０、コアプレス１０を施した後の吸収体４の厚みをｔとすると、ｔ／ｔ０＝１／１０〜７／１０程度であるのが好ましい。この割合が１／１０より小さいと吸収体が硬くなって装着感が悪化する。逆に７／１０より大きいと、コアプレス１０による圧縮の効果が小さく、吸収体４の厚みが大きくなる。この割合を変化させるには、コアプレス１０の圧縮深さ、隣り合うコアプレス同士の間隔、コアプレス１０の平面パターンなどを調整することにより成すことができる。
【００３９】
前記コアプレス１０は、図示例では、吸収体４の肌側面（表面シート３側の面）からのみ圧縮することにより、吸収体４の肌側面に凹状の窪み部が形成され、非肌側面（裏面シート２側の面）はほぼ平坦に形成されている。このような加工を行うには、表面に多数の凸部が形成された凸ロールと表面がフラットなアンビルロールとの間に吸収体を通過させることにより成すことができる。一方、図示しないが、吸収体４の肌側面及び非肌画面の両面からそれぞれ圧縮することにより、吸収体４の肌側面及び非肌側面の両面にそれぞれ凹状の窪み部が形成されるようにしてもよい。このように加工するには、表面に多数の凸部が形成された第１凸ロールと、前記第１凸ロールの凸部に対応する位置に同じく凸部が形成された第２凸ロールとの間を通過させることにより成すことができる。少なくとも肌側面を圧縮することにより、表面シート３側から浸透した体液がコアプレス１０の凹部に流入し、コアプレス１０に沿って拡散しやすくなるとともに、拡散する過程で随時吸収体４に吸収されるようになる。
【００４０】
前記コアプレス１０は、図４に示されるように、吸収体４のほぼ全体に同じパターンで形成するのが好ましい。すなわち、着用者の体液排出部Ｈに対応する領域にも、それ以外の領域と同様のパターンで施されている。これによって、吸収体４の全体を薄型化でき、装着時の違和感が確実に軽減できるとともに、確実にアウターに響かなくすることができる。
【００４１】
前記コアプレス１０は、吸収体４の厚みを厚み方向に圧縮できれば任意のパターンで施すことができるが、図４に示されるように、吸収体４の端縁間に亘って形成された、連続する又は所定の部位において間欠する複数の線状プレス部１１、１１…を含むのが好ましい。前記線状プレス部１１は、吸収体４の外縁に達しない中間部に形成されるのではなく、吸収体４の前後端縁及び左右端縁のうちの一つの端縁と、それ以外のいずれかの端縁との間に亘って形成されている。吸収体４の端縁間に亘って形成することにより、吸収体４の全体を圧縮することができ、確実に薄型化できるようになる。
【００４２】
前記コアプレス１０は、幅方向の一方側に傾斜し、長手方向に所定の間隔をあけて複数配置された第１の線状プレス部１１ａ、１１ａ…と、前記第１の線状プレス部１１ａに交差するとともに、幅方向の他方側に傾斜し、長手方向に所定の間隔をあけて複数配置された第２の線状プレス部１１ｂ、１１ｂ…とにより構成された格子状パターンを含むのが好ましい。コアプレス１０を格子状パターンで形成することによって吸収体４の厚みがより確実に薄型化でき、装着時の違和感の軽減やアウターへの響きにくさの効果が顕著になる。前記第１の線状プレス部１１ａ…及び第２の線状プレス部１１ｂ…はそれぞれ、ほぼ同じ間隔で配置するのが好ましく、これによって、前記線状プレス部１１ａ、１１ｂによって周囲が区画された正方形又は菱形からなる略四角形の格子が多数配置されるようになる。前記線状プレス部１１ａ、１１ｂで囲まれた略四角形の格子部分は、直接圧縮された部分ではないが、前記線状プレス部１１ａ、１１ｂの影響を受けて元の厚みより厚みが小さくなる。
【００４３】
前記第１の線状プレス部１１ａと第２の線状プレス部１１ｂとの交差角度は、図示例ではほぼ直角であるが、３０°〜１５０°程度の角度を有していれば良い。前記第１の線状プレス部１１ａ及び第２の線状プレス部１１ｂは、生理用ナプキン１の幅方向に対して傾斜しているのが望ましい。これにより、歩行時などに左右の脚をそれぞれ前後に動かしたとき、脚の付け根の内側からの圧力によって、生理用ナプキン１にねじれ方向の力が加わったとき、前記線状プレス部１１ａ、１１ｂに沿って吸収体４が斜め方向に変形しやすく、身体の動きに追従しやすくなる。また、これらの線状プレス部１１ａ、１１ｂに沿って体液が生理用ナプキン１の幅方向に流れるため、幅方向に平行に延びる線状プレス部を形成した場合に比べて、横漏れが生じるのが防止できる。このような斜め方向の変形を生じやすくする観点及び横漏れを防止する観点から、前記線状プレス部１１ａ、１１ｂは、生理用ナプキン１の幅方向に対して３０°以上の角度で傾斜しているのが好ましい。
【００４４】
前記吸収体４を確実に薄型化するため、図４に示されるように、前記第１の線状プレス部１１ａと第２の線状プレス部１１ｂとによって区画される各格子の１辺の長さａは、４〜１０ｍｍとするのが好ましい。４ｍｍより小さいと、線状プレス部１１ａ、１１ｂ同士の間隔が近接しすぎて吸収体４が硬くなり、装着感が悪化する。一方、１０ｍｍより大きいと、各格子の中央部が肌側に膨出して、吸収体４の全体を充分に薄型化することができない。
【００４５】
前記吸収体４を確実に薄型化するため、図４及び図５に示されるように、前記線状プレス部１１ａ、１１ｂと離間する各格子の中央部に、円形、多角形などからなる点状又はドット状の中央プレス部１６を施してもよい。これにより、各格子の中央部が肌側に膨出するのが押さえられ、吸収体４の硬さをあまり増加させずに、吸収体４の全体を確実に薄型化することができるようになる。また、各格子部分に浸透した体液は、毛細管現象によって繊維密度が高い中央プレス部１６に向けて拡散しやすくなるため、拡散性が向上して体液を素早く吸収することができるようになる。前記中央プレス部１６を設けた場合の各格子の１辺の長さａとしては、当該中央プレス部１６を設けない場合の長さより大きくすることができ、最大で１５ｍｍ程度としても、吸収体４を薄型化するという観点からは問題がない。なお、前記線状プレス部１１ａ、１１ｂの幅は、０．５〜３ｍｍとするのがよい。
【００４６】
一方、前記線状プレス部１１ａ、１１ｂは、吸収体４の幅方向及び長手方向に沿った正格子状に配置することも可能である。この他に、各格子が六角形からなるハニカム状に配置してもよい。いずれにしても、吸収体４の厚みが５ｍｍ以下となり、吸収体４の内部における体液の拡散が生じやすいパターンであれば任意の形態を採用することができる。また、上記形態例では、線状プレス部１１ａ、１１ｂを連続する線状に形成しているが、複数のドットを間隔をあけて配置した不連続線状に形成してもよい。
【００４７】
前記吸収体４の表面シート３側の面には、図４及び図５に示されるように、前記コアプレス１０の他に、表面シート３との間に空間を形成しながら裏面シート２側に窪ませることにより、前側部分が着用者の体液排出部Ｈに対応する領域の周囲を囲むように形成され、後側部分が着用者の臀部溝に対応する領域を囲むように後方に細長く延在する、平面視縦長の外側吸収体エンボス１２と、前記外側吸収体エンボス１２の内側に配置され、着用者の体液排出部Ｈのうち特に膣口に対応する領域の周囲を囲むように形成された縦長の楕円形からなる内側吸収体エンボス１３と、前記内側吸収体エンボス１３の後側に離隔して配置され、吸収体４の幅方向中央部に略幅方向に沿って延びる幅方向吸収体エンボス１４とが形成されている。
【００４８】
前記外側吸収体エンボス１２は、体液が外側に急速に拡散するのを防止し、吸収体４の端部からの漏れを防止するとともに、エンボスで囲まれた領域を肌面にフィットしやすくするために設けられるものである。
【００４９】
前記内側吸収体エンボス１３は、膣口から排出される体液を受け止め、外側への拡散スピードを低減するためのものである。
【００５０】
前記外側吸収体エンボス１２及び内側吸収体エンボス１３の平面形状は、図示例では、外側吸収体エンボス１２の前側部分がナプキン長手方向に長い略楕円形に形成されるとともに、後側部分が細長形状に形成され、内側吸収体エンボス１３がナプキン長手方向に長い略楕円形に形成されているが、これに限定されるものではない。例えば、幅方向外側への体液の拡散のみを軽減したい場合には、体液排出部対応領域の両側部にそれぞれ長手方向に沿う曲線状に形成してもよいし、前記外側吸収体エンボス１２を臀部溝に対応する領域まで延在させずに、内側吸収体エンボス１３と同様に縦長の楕円形に形成してもよい。前記外側吸収体エンボス１２及び内側吸収体エンボス１３のいずれか一方又は両方は、その一部又は全部を所定の離隔幅で複数配置した多重線によって形成してもよい。また、前記外側吸収体エンボス１２及び内側吸収体エンボス１３のいずれか一方又は両方は、設けなくてもよい。
【００５１】
前記幅方向吸収体エンボス１４は、後段で詳述するように、後述の長手方向表面エンボス２０から流れ込んだ体液を幅方向に拡散させながら、吸収体４に吸収しやすくするためのものである。
【００５２】
前記幅方向吸収体エンボス１４は、吸収体４又は被包シート５の肌側面からの圧搾により、吸収体４のみ又は被包シート５及び吸収体４を一体的に窪ませたものであり、表面シート３との間に空間を形成しながら配置されている。仮に、前記表面シート３も一体的に圧搾した場合には、加熱により表面シート３がフィルム化して吸収体への体液の移行を阻害するおそれがあるため好ましくない。
【００５３】
前記幅方向吸収体エンボス１４は、前記コアプレス１０と同様に、吸収体４の肌側面からのみ圧縮することにより、吸収体４の肌側面にのみ形成された凹状の窪み部によって構成してもよいし、吸収体４の肌側面及び非肌側面からそれぞれ圧縮することにより、吸収体４の肌側面及び非肌側面の両面にそれぞれ形成された凹状の窪み部によって構成してもよい。
【００５４】
また、前記幅方向吸収体エンボス１４は、種々の形態で形成することが可能である。好ましくは、図４に示されるように、前記内側吸収体エンボス１３の後側に離間するとともに、前記外側吸収体エンボス１２から離間して配置され、後側に膨出する曲線状の平面形状で形成するのがよい。また、前記内側吸収体エンボス１３の前側及び後側における吸収体４の略幅方向に延びる部分１３ａ、１３ｂは、後述の長手方向表面エンボス２０をこの内側吸収体エンボス１３の前側部分１３ａ及び後側部分１３ｂを横断して配置した場合には、これらの部分１３ａ、１３ｂを幅方向吸収体エンボス１４とみなすことができる。後述の長手方向表面エンボス２０が横断する場合には、これらの部分１３ａ、１３ｂも幅方向吸収体エンボス１４と同様の機能が発揮されるためである。ただし、最も外側に配置されるエンボス、図４に示される例では、外側吸収体エンボス１２の前側及び後側における吸収体４の略幅方向に延びる部分１２ａ、１２ｂは、幅方向吸収体エンボス１４として用いるのは好ましくない。この外側吸収体エンボス１２は、これより外側への体液拡散を軽減し、吸収体４の端部からの漏れを防止するためのものであるため、これを横断して後述の長手方向表面エンボス２０を設けると、外側吸収体エンボス１２より外側に体液が拡散しやすくなり、外側吸収体エンボス１２の効果が著しく低下するおそれがある。
【００５５】
前記幅方向吸収体エンボス１４は、図６に示されるように、生理用ナプキン１の長手方向に離隔して複数配置することができる。複数設けることにより、幅方向吸収体エンボス１４を通過する度に、後述の長手方向表面エンボス２０を流れる体液の流速及び流量が徐々に減少し、長手方向表面エンボス２０の後端部に体液が勢いよく流れるのが防止できる。前記幅方向吸収体エンボス１４の数としては、１〜１０個、好ましくは２〜５個程度がよい。複数設ける場合の隣り合う幅方向吸収体エンボス１４、１４の離隔距離としては、あまり近づきすぎると液拡散がしにくく、大きすぎると液拡散の効果が小さいため、１０〜３０ｍｍ程度とするのがよい。
【００５６】
前記幅方向吸収体エンボス１４の平面形状は、特に限定されないが、図４に示されるように、吸収体４の後側に向けて膨出する曲線で形成するのが好ましい。これにより、後述の長手方向表面エンボス２０を前側から後側に向けて流れる体液が幅方向吸収体エンボス１４に流れ込みやすくなるとともに、幅方向吸収体エンボス１４に流れ込んだ体液が幅方向の端部に直進することなく、両側面に接触しやすくなり、側面を通じて吸収体４に吸収されやすくなる。なお、幅方向吸収体エンボス１４の平面形状は、吸収体４の略幅方向に沿って延びる直線でもよいし、前側に向けて膨出する曲線でもよい。
【００５７】
前記幅方向吸収体エンボス１４の吸収体４の幅方向の長さは、特に限定されない。この長さを長くすれば吸収体４の幅方向への拡散性が向上し、吸収体４の幅方向端縁からの漏れが懸念されるため、あまり長くするのは好ましくない。この長さは、吸収体４の幅及び後述の長手方向表面エンボス２０の溝幅によっても異なるが、吸収体４の幅寸法に対して、１／１０〜１／２、好ましくは１／７〜１／３とするのがよい。
【００５８】
図４及び図５に示されるように、少なくとも前記幅方向吸収体エンボス１４と重なる部分及びその近傍で前記コアプレス１０が間欠することにより、前記幅方向吸収体エンボス１４の周囲に所定の幅で非プレス部１５を形成するのが好ましい。すなわち、前記幅方向吸収体エンボス１４部分及びその周囲の所定幅において、前記コアプレス１０が形成されず、前記幅方向吸収体エンボス１４とコアプレス１０との間に圧搾しない領域（非プレス部１５）が形成されている。幅方向吸収体エンボス１４の周囲に前記非プレス部１５を形成することによって、幅方向吸収体エンボス１４から繊維間空隙が大きな非プレス部１５に体液の吸収が速やかに行われるとともに、この非プレス部１５で体液が一時的に貯留された後、高密度のコアプレス１０に浸透するため、体液を吸収体４に素早く吸収させることができる。また、一旦吸収体４に吸収された体液は、密度が小さな非プレス部１５に移行しにくい性質を有しているため、幅方向吸収体エンボス１４への体液の逆戻りが防止できる。
【００５９】
前記非プレス部１５は、幅方向吸収体エンボス１４の周囲に全周に亘って形成され、幅方向吸収体エンボス１４とコアプレス１０とが直接接続しないようになされている。前記非プレス部１５の幅は、体液のバッファーゾーンとしての機能を確保するとともに、吸収体４の厚みが厚くなるのを防止する観点から、０．５〜５ｍｍとするのが好ましい。
【００６０】
前記非プレス部１５は、前記外側吸収体エンボス１２及び内側吸収体エンボス１３の周囲にも形成するのが望ましい。
【００６１】
前記吸収体４にコアプレス１０及び外側吸収体エンボス１２、内側吸収体エンボス１３及び幅方向吸収体エンボス１４を形成するには、前記コアプレス１０及び各エンボス１２、１３、１４に対応する凸部が形成された凸ロールによってコアプレス１０及び各エンボス１２、１３、１４を同時に施してもよいし、コアプレス１０を形成した後、次工程で各エンボス１２、１３、１４を形成してもよい。前記コアプレス１０、中央プレス部１６及び各エンボス１２、１３、１４は、底部の圧搾密度をほぼ同等とし、毛管作用による体液の引き込み力をほぼ均等にし、体液拡散の偏りを生じなくするため、ほぼ同等の溝深さで形成するのが好ましい。
【００６２】
〔長手方向表面エンボス〕
本生理用ナプキン１では、図１に示されるように、前記表面シート３の外面に表面シート３から吸収体４までの間を一体的に裏面シート２側に向けて窪ませた長手方向表面エンボス２０が、生理用ナプキン１の幅方向中央部に長手方向に沿って延びるとともに、前記幅方向吸収体エンボス１４を横断するように形成されている。前記長手方向表面エンボス２０は、体液排出部Ｈに対応する領域における体液を途中で幅方向に拡散させつつ、吸収体４の後側に向けて拡散させ、吸収体４の広い範囲を有効活用するためのものである。
【００６３】
前記長手方向表面エンボス２０は、着用者の体液排出部Ｈに対応する領域から生理用ナプキン１の後側に延びるように設けるのが好ましい。これにより、体液排出部対応領域の体液を後側に拡散させることができ、吸収体の広い範囲を有効活用できるようになる。前記長手方向表面エンボス２０は、着用者の体液排出部Ｈ、具体的に膣口の直ぐ後側から形成するのが好ましい。図１に示される形態例では、前記長手方向表面エンボス２０が、内側吸収体エンボス１３の後側に離隔して配置されている。
【００６４】
前記長手方向表面エンボス２０の後端は、着用者の臀部溝に対応する領域の中間までとするのが好ましい。あまり吸収体４の後側まで延在させると、吸収体４の後端からの漏れが生じるおそれがある。具体的には、臀部溝の周囲を囲むように形成された前記外側吸収体エンボス１２の後側部分のうち、長手方向中央部を若干後側に越えたあたりまでとするのが好ましい。
【００６５】
前記長手方向表面エンボス２０の溝幅は、小さすぎると体液が流れにくく、大きすぎると装着時の違和感を生じるため、２〜１０ｍｍが好ましい。前記長手方向表面エンボス２０の溝幅は、全長に亘ってほぼ一定でもよいし、途中で変化させてもよい。変化させる場合の例としては、前記幅方向吸収体エンボス１４を横断する部分で溝幅を相対的に大きくすることにより、幅方向吸収体エンボス１４に体液を流れ込みやすくしてもよい。また、長手方向表面エンボス２０を流れる体液が幅方向吸収体エンボス１４に流れ込むことによって、長手方向表面エンボス２０の流量が幅方向吸収体エンボス１４を通過する毎に減少するのに合わせて、吸収体４の後側に向けて徐々に、又は前記幅方向吸収体エンボス１４を通過する毎に段階的に溝幅を小さくしてもよい。これにより、後側の溝幅を小さくできるため、装着時の違和感が軽減できる効果も期待できる。
【００６６】
前記長手方向表面エンボス２０は、図１に示されるように、低圧搾部２１と高圧搾部２２とを有し、前記高圧搾部２２が長手方向表面エンボス２０が延びる方向に沿って間隔を空けて複数配置されるのが好ましい。前記低圧搾部２１とは相対的に溝深さが浅く形成された部分であり、前記高圧搾部２２とは相対的に溝深さが深く形成された部分である。図１では、高圧搾部２２を黒塗り部分で表し、その他の白色部分は低圧搾部２１である。前記低圧搾部２１と高圧搾部２２とを有することにより、高圧搾部２２において溝深さが深くなるため、エンボス溝の底面を流れる体液の流れが急激に変化することにより、流速を低下させる効果が生じるようになる。
【００６７】
また、前記高圧搾部２２の少なくとも一部に、前記非プレス部１５の少なくとも一部が重なるように配置された高圧搾部２２を含んでいるのが好ましい。前記長手方向表面エンボス２０を施す際、高圧搾部２２が非プレス部１５に重なるように配置することにより、未圧搾のために復元力が大きな非プレス部１５が圧搾後に復元することなく、前記高圧搾部２２によって確実に圧搾状態が保持され、前記長手方向表面エンボス２０が確実に形成できるようになる。また、非プレス部１５に高圧搾部２２が重ねて配置されることにより、非プレス部１５に吸収された体液が繊維が高密度化された高圧搾部２２に毛管作用により引き込まれやすくなるため、体液の吸収速度が向上できる。
【００６８】
前記高圧搾部２２は、硬くなり装着感が悪化するのを防止するため、面積が１ｃｍ２以下であるのが好ましい。このときの平面形状は特に限定されないが、エンボス溝が延びる方向に沿った長さが、エンボス溝の幅方向の長さの１．５倍以上であると、エンボス溝が延びる方向に沿った体液の流れが生じやすいため、好ましい。図１に示される例では、エンボス溝が延びる方向に長い略菱形に形成されている。
【００６９】
隣り合う高圧搾部２２、２２の離隔距離は、２〜２０ｍｍが好ましい。２ｍｍより小さいと、非プレス部１５に体液が浸透しにくく、２０ｍｍより大きいと高圧搾部２２における流速の低減効果があまり期待できない。
【００７０】
前記高圧搾部２２は、前記幅方向吸収体エンボス１４の少なくとも前側に近接して配置するのが好ましい。これにより、長手方向表面エンボス２０を前側から後側に向けて流れる体液の流速が高圧搾部２２において低減された直後に幅方向吸収体エンボス１４が位置することとなり、幅方向吸収体エンボス１４に体液が流れ込みやすくなる。また、前記高圧搾部２２が基点となって、長手方向表面エンボス２０を流れる体液を幅方向吸収体エンボス１４に分散させやすくなる。高圧搾部２２の具体的な配置位置としては、高圧搾部２２の後端部が幅方向吸収体エンボス１４の前側に隣接する非プレス部１５と重なる位置とするのが好ましい。
【００７１】
前記低圧搾部２１の溝深さは、前記吸収体４に形成されたコアプレス１０及び各エンボス１２、１３、１４とほぼ同等またはこれより若干深くするのが好ましい。
【００７２】
以上の構成からなる本生理用ナプキン１の体液の流れについて、図７に基づいて詳細に説明する。着用者の体液排出部Ｈに対応する領域に排出された体液が長手方向表面エンボス２０に流れ込んで、この長手方向表面エンボス２０の溝内を後側に向けて流れる。その途中で、長手方向表面エンボス２０の側面から表面シート３を浸透して幅方向吸収体エンボス１４に体液が流れ込む。幅方向吸収体エンボス１４に流れ込んだ体液は、幅方向吸収体エンボス１４の周囲に密度が小さく繊維間空隙が大きな非プレス部１５が設けられているため、この非プレス部１５を構成する繊維との接触により非プレス部１５の繊維間に毛管作用により吸収される。その後、非プレス部１５に吸収された体液は、繊維間空隙が小さな隣接するコアプレス１０に毛管作用によって引き込まれるとともに、コアプレス１０によって区画された各格子部に浸透して保持される。また、長手方向表面エンボス２０を後側に向けて流れる体液は、底面に高圧搾部２２が設けられる場合には、その作用によって流速が徐々に低下しつつ、側面から表面シート３を浸透して吸収体４に吸収され、コアプレス１０によって区画された各格子部やコアプレス１０部分に保持される。このように、長手方向表面エンボス２０が幅方向吸収体エンボス１４に流れ込むことによって吸収体４に素早く吸収保持されるため、吸収速度が低下することなく、吸収体４の広い範囲に体液を拡散させて吸収することができ、吸収体の備える吸収容量を有効活用することができる。また、長手方向表面エンボス２０を流れる体液の流量が減少し、長手方向表面エンボス２０の後側に勢いよく体液が流れなくなるため、端部に達した体液による後漏れが防止できる。
【符号の説明】
【００７３】
１…生理用ナプキン、２…裏面シート、３…表面シート、４…吸収体、５…被包シート、７…サイド不織布、１０…コアプレス、１１…線状プレス部、１１ａ…第１の線状プレス部、１１ｂ…第２の線状プレス部、１２…外側吸収体エンボス、１３…内側吸収体エンボス、１４…幅方向吸収体エンボス、１５…非プレス部、２０…長手方向表面エンボス、２１…低圧搾部、２２…高圧搾部
【図１】
2019165926.tif 000003
【図２】
2019165926.tif 000004
【図３】
2019165926.tif 000005
【図４】
2019165926.tif 000006
【図５】
2019165926.tif 000007
【図６】
2019165926.tif 000008
【図７】
2019165926.tif 000009
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
透液性の表面シートと不透液性の裏面シートとの間に吸収体が介在された吸収性物品において、
前記吸収体の少なくとも前記表面シート側の面に、前記表面シートとの間に空間を形成しながら前記裏面シート側に向けて窪ませた、前記吸収体の厚みを厚み方向に圧縮するコアプレスが格子状パターンで形成されるとともに、前記吸収体の幅方向中央部に、略幅方向に沿って延びる幅方向吸収体エンボスが吸収性物品の長手方向に離隔して複数形成され、
前記幅方向吸収体エンボスと重なる部分及びその近傍で前記コアプレスを間欠させた非プレス部が、前記幅方向吸収体エンボスの全周囲に沿って形成され、前記幅方向吸収体エンボスと前記コアプレスとが直接接続しないようにされ、
前記表面シートの外面に前記表面シートから吸収体までの間を一体的に前記裏面シート側に向けて窪ませた長手方向表面エンボスが、吸収性物品の幅方向中央部に長手方向に沿って延びるとともに、前記幅方向吸収体エンボスを横断するように形成され、かつ前記長手方向表面エンボスは、低圧搾部と高圧搾部とを有し、前記高圧搾部が前記長手方向表面エンボスが延びる方向に沿って間隔を空けて複数配置されているとともに、前記高圧搾部は前記幅方向吸収体エンボスの少なくとも前側に近接して配置されていることを特徴とする吸収性物品。
【請求項２】
前記長手方向表面エンボスは、着用者の体液排出部に対応する領域から後側に延びるように設けられている請求項１記載の吸収性物品。
【請求項３】
前記幅方向吸収体エンボスは、着用者の体液排出部に対応する領域の周囲を囲む環状に形成された圧搾溝の略幅方向に延びる部分及び吸収性物品の略幅方向に沿って延びる独立する圧搾溝のいずれか又はこれらの組み合わせからなる請求項１、２いずれかに記載の吸収性物品。
【請求項４】
前記吸収体の厚みが５ｍｍ以下である請求項１〜３いずれかに記載の吸収性物品。
【手続補正２】
【補正対象書類名】明細書
【補正対象項目名】全文
【補正方法】変更
【補正の内容】
【発明の詳細な説明】
【技術分野】
【０００１】
本発明は、主には生理用ナプキン、おりものシート、失禁パッド、トイレタリー等に使用される吸収性物品であって、詳しくは吸収体の厚みを薄型化したスリムタイプの吸収性物品において、吸収体を窪ませて所定の圧搾溝を形成することによって、体液の吸収速度の低下や漏れを生じることなく、吸収体の広い範囲を有効活用できるようにした吸収性物品に関する。
【背景技術】
【０００２】
従来より、前記吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
前記吸収体の厚みを薄型化したスリムタイプの吸収性物品は、装着時の違和感が軽減できる、装着時に吸収性物品の凹凸が着衣の外から見えにくくなる（アウターに響かなくなる）などの利点を有するため、広く市場に提供されている。
【０００４】
しかしながら、このようなスリムタイプの吸収性物品において、吸収体を厚み方向に圧縮するプレス加工を施すことにより、吸収体の厚みを薄型化したものでは、体液の吸収速度が低下する問題が指摘されていた。一般に、吸収体が体液に接触して吸水するメカニズムは、先ず体液が吸収体を構成しているパルプ等の繊維表面に付着し、次いで繊維と繊維との間（繊維間空隙）を毛管作用により吸収体の内部に浸透する。したがって、吸収体の吸水性は、パルプ自体の吸水性、繊維表面のぬれ性の他、繊維の組織や密度など吸収体の構造にも密接に関係している。同一のパルプを用いた場合、繊維密度が低いものほど繊維間空隙が大きくなるため、吸水性が高くなると考えられる。したがって、プレス加工を施すことによって繊維が圧密化された部分では、繊維間空隙が小さいために体液の初期吸収速度が遅くなる。
【０００５】
また、スリムタイプの吸収性物品は、吸収体の厚みが薄いため、単位面積当たりの吸収容量が小さく、厚み方向に対する液保持能力が低いことから、平面方向に拡散させることで、吸収体が本来備える吸収性能を有効活用できるようにすることが求められている。
【０００６】
このような拡散性を向上する技術として、下記特許文献１には、吸収性コアに、該吸収性コアを厚み方向に貫通する孔からなる非積繊部が、股下部を通って縦方向に延びるように形成された吸収性物品が開示されている。また、下記特許文献２には、複数本の高密度部と複数本の低密度部とが、それぞれ、吸収体の長手方向に延びて形成されており、該高密度部と該低密度部とは、吸収体の幅方向に交互に形成されている吸収性物品が開示されている。
【先行技術文献】
【特許文献】
【０００７】
【特許文献１】特開２０１６−１１２０８１号公報
【特許文献２】特開２０１０−１３６８９９号公報
【発明の概要】
【発明が解決しようとする課題】
【０００８】
しかしながら、上記特許文献１に記載された吸収性物品では、非積繊部を伝って体液が後側に勢いよく流れやすいため、体液が非積繊部の後側端部に到達して吸収体の一部に体液が集中するおそれがあり、この場合には漏れが生じやすくなる。また、スリムタイプの吸収性物品では、吸収体に非積繊部を設けると、その分だけ体液の吸収容量が低下するため、吸収性能が悪化するおそれがある。
【０００９】
また、上記特許文献２に記載された吸収性物品では、高密度部と低密度部とが交互に形成されているので、吸収体の厚みが厚くなる傾向にあり、スリムタイプの吸収性物品には不向きである。また、前記高密度部が吸収体の長手方向に延びているため、この高密度部を伝って高密度部の端部に体液が拡散しやすく、吸収体の端部からの漏れが懸念される。
【００１０】
そこで本発明の主たる課題は、吸収速度の低下や漏れを生じることなく、吸収体の広い範囲を有効活用できるようにした吸収性物品を提供することにある。
【課題を解決するための手段】
【００１１】
上記課題を解決するために請求項１に係る本発明として、透液性の表面シートと不透液性の裏面シートとの間に吸収体が介在された吸収性物品において、
前記吸収体の少なくとも前記表面シート側の面に、前記表面シートとの間に空間を形成しながら前記裏面シート側に向けて窪ませた、前記吸収体の厚みを厚み方向に圧縮するコアプレスが格子状パターンで形成されるとともに、前記吸収体の幅方向中央部に、略幅方向に沿って延びる幅方向吸収体エンボスが吸収性物品の長手方向に離隔して複数形成され、
前記幅方向吸収体エンボスと重なる部分及びその近傍で前記コアプレスを間欠させた非プレス部が、前記幅方向吸収体エンボスの全周囲に沿って形成され、前記幅方向吸収体エンボスと前記コアプレスとが直接接続しないようにされ、
前記表面シートの外面に前記表面シートから吸収体までの間を一体的に前記裏面シート側に向けて窪ませた長手方向表面エンボスが、吸収性物品の幅方向中央部に長手方向に沿って延びるとともに、前記幅方向吸収体エンボスを横断するように形成され、かつ前記長手方向表面エンボスは、低圧搾部と高圧搾部とを有し、前記高圧搾部が前記長手方向表面エンボスが延びる方向に沿って間隔を空けて複数配置されているとともに、前記高圧搾部は前記幅方向吸収体エンボスの少なくとも前側に近接して配置されていることを特徴とする吸収性物品が提供される。
【００１２】
上記請求項１記載の発明では、吸収体に格子状パターンでコアプレスを施すことにより、吸収体を厚み方向に圧縮したスリムタイプの吸収性物品である。前記コアプレスを施すことにより、吸収体の繊維の疎密差が形成され、吸収体内部の拡散性を向上させることができる。
【００１３】
また、前記長手方向表面エンボスを、吸収性物品の幅方向中央部に長手方向に沿って形成することにより、この長手方向表面エンボスの内部を流れて吸収性物品の長手方向に対する拡散性を向上させている。ここで、前記長手方向表面エンボスの底面は、圧搾により押し固められ、繊維密度が非常に高くなっているため、体液の吸収性能が著しく低下している。また、長手方向表面エンボスの側面においても前記コアプレスが施された部分では、コアプレスによって繊維が圧密化しているため、体液が吸収しにくくなっている。しかしながら、本発明では、前記長手方向表面エンボスが吸収性物品の長手方向に離隔して複数形成されている幅方向吸収体エンボスを横断するように形成されているため、長手方向表面エンボスを流れる体液の一部が前記幅方向吸収体エンボスに流入して幅方向吸収体エンボスにおいて吸収体に吸収されるようになる。前記幅方向吸収体エンボスを吸収性物品の長手方向に離隔して複数設けることにより、長手方向表面エンボスを流れる途中で順次幅方向吸収体エンボスに体液が流れ込み、長手方向表面エンボスを流れる体液の流速が後方に向かうにしたがって徐々に小さくなり、長手方向表面エンボスの後端部に体液が勢いよく流れることなく、吸収体の後端からの漏れが防止できる。
【００１４】
また、幅方向吸収体エンボスにおいては、繊維密度が小さく繊維間空隙が大きな非プレス部が全周囲に沿って配置され、前記幅方向吸収体エンボスと前記コアプレスとが直接接続しないようにされているため、幅方向吸収体エンボスの側面から体液が非プレス部に浸透しやすくなっている。非プレス部に浸透した体液は、幅方向吸収体エンボスに沿って幅方向に拡散するとともに、前記コアプレスとの繊維の疎密差に伴う毛管作用により、吸収体の広い範囲に拡散しやすくなっている。また、前記非プレス部から繊維間空隙が小さな吸収体の内部に浸透した体液は、繊維間空隙が大きな非プレス部に移行にくい性質を有しているため、幅方向吸収体エンボスに逆戻りしにくい構造となっている。
【００１５】
このように、本吸収性物品では、吸収体の厚みを薄型化したスリムタイプの吸収性物品において、吸収速度の低下や漏れを生じることなく、吸収体の広い範囲を有効活用して、より多くの体液を吸収保持できるようになる。
【００１６】
また、本発明では、前記長手方向表面エンボスは、低圧搾部と高圧搾部とを有し、前記高圧搾部が前記長手方向表面エンボスが延びる方向に沿って間隔を空けて複数配置されているとともに、前記高圧搾部は前記幅方向吸収体エンボスの少なくとも前側に近接して配置されている。
【００１７】
前記長手方向表面エンボスが低圧搾部と複数の高圧搾部とを有するため、底面が凹んでいる前記高圧搾部を体液が通過する際に、体液の流速が一時的に減少し、長手方向表面エンボスを体液が勢いよく流れるのが抑制できる。また、前記高圧搾部は前記幅方向吸収体エンボスの少なくとも前側に近接して配置されていることにより、長手方向表面エンボスを前側から後側に向けて流れる体液の流速が高圧搾部において低減された直後に幅方向吸収体エンボスが位置することとなり、幅方向吸収体エンボスに体液が流れ込みやすくなる。また、前記高圧搾部が基点となって、長手方向表面エンボスを流れる体液を幅方向吸収体エンボスに分散させやすくなる。
【００１８】
請求項２に係る本発明として、前記長手方向表面エンボスは、着用者の体液排出部に対応する領域から後側に延びるように設けられている請求項１記載の吸収性物品が提供される。
【００１９】
上記請求項２記載の発明では、着用者の体液排出部に対応する領域から後側に延びるように前記長手方向表面エンボスを設けることにより、この領域に排出された体液を吸収性物品の後方に拡散しやすくしている。
【００２０】
請求項３に係る本発明として、前記幅方向吸収体エンボスは、着用者の体液排出部に対応する領域の周囲を囲む環状に形成された圧搾溝の略幅方向に延びる部分及び吸収性物品の略幅方向に沿って延びる独立する圧搾溝のいずれか又はこれらの組み合わせからなる請求項１、２いずれかに記載の吸収性物品が提供される。
【００２１】
上記請求項３記載の発明では、前記幅方向吸収体エンボスとして、着用者の体液排出部に対応する領域の周囲を囲む環状の圧搾溝の略幅方向に延びる部分によって形成してもよいし、独立する圧搾溝によって形成してもよいことを規定している。いずれにおいても、長手方向表面エンボスを流れる体液が幅方向吸収体エンボスに流れ込み、体液を広い範囲に拡散させつつ吸収保持できるようになる。
【００２２】
請求項４に係る本発明として、前記吸収体の厚みが５ｍｍ以下である請求項１〜３いずれかに記載の吸収性物品が提供される。
【００２３】
上記請求項４記載の発明では、前記吸収体にコアプレスを施すことによって吸収体の厚み（最大厚み）が５ｍｍ以下の薄型にしている。
【発明の効果】
【００２４】
以上詳説のとおり本発明によれば、吸収速度の低下や漏れを生じることなく、吸収体の広い範囲を有効活用できるようになる。
【図面の簡単な説明】
【００２５】
【図１】本発明に係る生理用ナプキン１の一部破断展開図である。
【図２】図１のII−II線矢視図である。
【図３】図１のIII−III線矢視図である。
【図４】吸収体４の平面図である。
【図５】図４のV−V線矢視図である。
【図６】変形例に係る吸収体４の平面図である。
【図７】体液の流れを示す、図４のVII−VII線矢視図（吸収体４の縦断面図）である。
【発明を実施するための形態】
【００２６】
以下、本発明の実施の形態について図面を参照しながら詳述する。
【００２７】
〔生理用ナプキン１の基本構造〕
本発明に係る生理用ナプキン１は、図１〜図３に示されるように、ポリエチレンシートなどからなる不透液性の裏面シート２と、経血やおりものなど（以下、まとめて体液ともいう。）を速やかに透過させる透液性の表面シート３と、これら両シート２，３間に介装された綿状パルプまたは合成パルプなどからなる吸収体４と、肌当接面側の両側部に長手方向のほぼ全長に亘って設けられたサイド不織布７、７とを備え、かつ前記吸収体４の周囲においては、その上下端縁部では前記裏面シート２と表面シート３との外縁部がホットメルトなどの接着剤やヒートシール、超音波シール等の接合手段によって接合され、またその両側縁部では吸収体４よりも側方に延出している前記裏面シート２と前記サイド不織布７とがホットメルトなどの接着剤やヒートシール、超音波シール等の接合手段によって接合されることにより、吸収体が介在しないフラップ部が形成されたものである。なお、図示例では、前記吸収体４の形状保持および拡散性向上のために、前記吸収体４をクレープ紙又は不織布などからなる被包シート５で囲繞しているが、この被包シート５は設けなくてもよい。また、図示しないが、前記表面シート３の非肌側に隣接して、前記表面シート３とほぼ同形状の親水性の不織布などからなるセカンドシートを配設してもよい。
【００２８】
以下、さらに前記生理用ナプキン１の構造について詳述すると、
前記裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記裏面シート２の非肌側面（外面）にはナプキン長手方向に沿って１または複数条の粘着剤層（図示せず）が形成され、身体への装着時に生理用ナプキン１を下着に固定するようになっている。前記裏面シート２としては、プラスチックフィルムと不織布とを積層させたポリラミ不織布を用いてもよい。
【００２９】
次いで、前記表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００３０】
前記表面シート３の幅寸法は、図２及び図３の横断面図に示されるように、吸収体４の幅寸法よりも若干長めとされ、吸収体４を覆うだけに止まり、それより外方側は前記表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されたサイド不織布７が配設されている。
【００３１】
かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３２】
前記サイド不織布７は、図２に示されるように、幅方向中間部より外側部分を所定の内側位置から裏面シート２の外縁までの範囲に亘ってホットメルトなどの接着剤によって接着し、所定の位置に所定のフラップ部が形成されている。このフラップ部は、ほぼ体液排出部Ｈに対応する部分の両側部に左右一対のウイング状フラップＷ、Ｗを形成するとともに、これより臀部側（後部側）位置にヒップホールド用フラップＷＢ、ＷＢを形成してもよい。これらウイング状フラップＷ、Ｗおよびヒップホールド用フラップＷＢ、ＷＢの外面側にはそれぞれ粘着剤層（図示せず）が備えられ、ショーツに対する装着時に、前記ウイング状フラップＷ、Ｗを基端部の折返し線ＲＬ位置にて反対側に折り返し、ショーツのクロッチ部分に巻き付けて止着するとともに、前記ヒップホールド用フラップＷＢをショーツの内面に止着するようになっている。一方、前記サイド不織布７の内方側部分は表面シート３の肌側に積層された状態で吸収体４側（表面シート３の肌側面）に接着されている。
【００３３】
〔吸収体〕
前記裏面シート２と表面シート３との間に介在される吸収体４は、たとえばパルプと高吸水性ポリマーとにより構成されている。前記高吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３４】
本生理用ナプキン１は、吸収体４の目付を低くした薄型のスリムナプキンである。前記パルプの目付は、５０〜３００ｇ／ｍ２、好ましくは８０〜２２０ｇ／ｍ２とするのがよく、前記高吸水性ポリマーの目付は、３０〜１８０ｇ／ｍ２、好ましくは５０〜１６０ｇ／ｍ２とするのがよい。これらパルプ及び高吸水性ポリマーの目付は、一定である必要はなく、吸収体の部位によって変化させても良い。例えば、着用者の体液排出部Ｈに対応する領域においてパルプと高吸水性ポリマーの目付を高くした高吸収部を形成することができる。装着時の違和感を軽減し、アウターに響かなくするため、前記吸収体４の厚みは５ｍｍ以下、好ましくは２〜５ｍｍとするのがよい。また、吸収体の密度（平均密度）は、０．０１ｇ／ｃｍ３以上とするのがよい。
【００３５】
前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３６】
図４及び図５に示されるように、前記吸収体４の少なくとも前記表面シート３側の面（肌側の面）に、表面シート３との間に空間を形成しながら前記裏面シート２側（非肌側）に向けて窪ませたコアプレス１０が形成されている。このコアプレス１０は、前記吸収体４の厚みを厚み方向に圧縮するためのものであり、吸収体４の全面を圧縮するのではなく、所定の間隔をあけた所定のパターンで圧縮したものである。前記コアプレス１０を施した部分が厚み方向に圧縮されることによって、コアプレス１０を施さない部分の繊維がこれに引き込まれ、コアプレス１０を施さない部分が影響を受けてある程度圧縮されるため、吸収体４全体の厚みが厚み方向に小さくなる。前記「吸収体４の厚み」とは、吸収体４の全体の厚みであって、具体的には最も肉厚な部分において計測した最大厚みのことであり、（株）尾崎製作所製の定圧厚み測定器デジタルタイプＦＦＤ−７によって測定することができる。
【００３７】
前記コアプレス１０を施すことによって減少する厚みの割合としては、コアプレス１０を施す前の吸収体４の厚みをｔ０、コアプレス１０を施した後の吸収体４の厚みをｔとすると、ｔ／ｔ０＝１／１０〜７／１０程度であるのが好ましい。この割合が１／１０より小さいと吸収体が硬くなって装着感が悪化する。逆に７／１０より大きいと、コアプレス１０による圧縮の効果が小さく、吸収体４の厚みが大きくなる。この割合を変化させるには、コアプレス１０の圧縮深さ、隣り合うコアプレス同士の間隔、コアプレス１０の平面パターンなどを調整することにより成すことができる。
【００３８】
前記コアプレス１０は、図示例では、吸収体４の肌側面（表面シート３側の面）からのみ圧縮することにより、吸収体４の肌側面に凹状の窪み部が形成され、非肌側面（裏面シート２側の面）はほぼ平坦に形成されている。このような加工を行うには、表面に多数の凸部が形成された凸ロールと表面がフラットなアンビルロールとの間に吸収体を通過させることにより成すことができる。一方、図示しないが、吸収体４の肌側面及び非肌画面の両面からそれぞれ圧縮することにより、吸収体４の肌側面及び非肌側面の両面にそれぞれ凹状の窪み部が形成されるようにしてもよい。このように加工するには、表面に多数の凸部が形成された第１凸ロールと、前記第１凸ロールの凸部に対応する位置に同じく凸部が形成された第２凸ロールとの間を通過させることにより成すことができる。少なくとも肌側面を圧縮することにより、表面シート３側から浸透した体液がコアプレス１０の凹部に流入し、コアプレス１０に沿って拡散しやすくなるとともに、拡散する過程で随時吸収体４に吸収されるようになる。
【００３９】
前記コアプレス１０は、図４に示されるように、吸収体４のほぼ全体に同じパターンで形成するのが好ましい。すなわち、着用者の体液排出部Ｈに対応する領域にも、それ以外の領域と同様のパターンで施されている。これによって、吸収体４の全体を薄型化でき、装着時の違和感が確実に軽減できるとともに、確実にアウターに響かなくすることができる。
【００４０】
前記コアプレス１０は、吸収体４の厚みを厚み方向に圧縮できれば任意のパターンで施すことができるが、図４に示されるように、吸収体４の端縁間に亘って形成された、連続する又は所定の部位において間欠する複数の線状プレス部１１、１１…を含むのが好ましい。前記線状プレス部１１は、吸収体４の外縁に達しない中間部に形成されるのではなく、吸収体４の前後端縁及び左右端縁のうちの一つの端縁と、それ以外のいずれかの端縁との間に亘って形成されている。吸収体４の端縁間に亘って形成することにより、吸収体４の全体を圧縮することができ、確実に薄型化できるようになる。
【００４１】
前記コアプレス１０は、幅方向の一方側に傾斜し、長手方向に所定の間隔をあけて複数配置された第１の線状プレス部１１ａ、１１ａ…と、前記第１の線状プレス部１１ａに交差するとともに、幅方向の他方側に傾斜し、長手方向に所定の間隔をあけて複数配置された第２の線状プレス部１１ｂ、１１ｂ…とにより構成された格子状パターンを含むのが好ましい。コアプレス１０を格子状パターンで形成することによって吸収体４の厚みがより確実に薄型化でき、装着時の違和感の軽減やアウターへの響きにくさの効果が顕著になる。前記第１の線状プレス部１１ａ…及び第２の線状プレス部１１ｂ…はそれぞれ、ほぼ同じ間隔で配置するのが好ましく、これによって、前記線状プレス部１１ａ、１１ｂによって周囲が区画された正方形又は菱形からなる略四角形の格子が多数配置されるようになる。前記線状プレス部１１ａ、１１ｂで囲まれた略四角形の格子部分は、直接圧縮された部分ではないが、前記線状プレス部１１ａ、１１ｂの影響を受けて元の厚みより厚みが小さくなる。
【００４２】
前記第１の線状プレス部１１ａと第２の線状プレス部１１ｂとの交差角度は、図示例ではほぼ直角であるが、３０°〜１５０°程度の角度を有していれば良い。前記第１の線状プレス部１１ａ及び第２の線状プレス部１１ｂは、生理用ナプキン１の幅方向に対して傾斜しているのが望ましい。これにより、歩行時などに左右の脚をそれぞれ前後に動かしたとき、脚の付け根の内側からの圧力によって、生理用ナプキン１にねじれ方向の力が加わったとき、前記線状プレス部１１ａ、１１ｂに沿って吸収体４が斜め方向に変形しやすく、身体の動きに追従しやすくなる。また、これらの線状プレス部１１ａ、１１ｂに沿って体液が生理用ナプキン１の幅方向に流れるため、幅方向に平行に延びる線状プレス部を形成した場合に比べて、横漏れが生じるのが防止できる。このような斜め方向の変形を生じやすくする観点及び横漏れを防止する観点から、前記線状プレス部１１ａ、１１ｂは、生理用ナプキン１の幅方向に対して３０°以上の角度で傾斜しているのが好ましい。
【００４３】
前記吸収体４を確実に薄型化するため、図４に示されるように、前記第１の線状プレス部１１ａと第２の線状プレス部１１ｂとによって区画される各格子の１辺の長さａは、４〜１０ｍｍとするのが好ましい。４ｍｍより小さいと、線状プレス部１１ａ、１１ｂ同士の間隔が近接しすぎて吸収体４が硬くなり、装着感が悪化する。一方、１０ｍｍより大きいと、各格子の中央部が肌側に膨出して、吸収体４の全体を充分に薄型化することができない。
【００４４】
前記吸収体４を確実に薄型化するため、図４及び図５に示されるように、前記線状プレス部１１ａ、１１ｂと離間する各格子の中央部に、円形、多角形などからなる点状又はドット状の中央プレス部１６を施してもよい。これにより、各格子の中央部が肌側に膨出するのが押さえられ、吸収体４の硬さをあまり増加させずに、吸収体４の全体を確実に薄型化することができるようになる。また、各格子部分に浸透した体液は、毛細管現象によって繊維密度が高い中央プレス部１６に向けて拡散しやすくなるため、拡散性が向上して体液を素早く吸収することができるようになる。前記中央プレス部１６を設けた場合の各格子の１辺の長さａとしては、当該中央プレス部１６を設けない場合の長さより大きくすることができ、最大で１５ｍｍ程度としても、吸収体４を薄型化するという観点からは問題がない。なお、前記線状プレス部１１ａ、１１ｂの幅は、０．５〜３ｍｍとするのがよい。
【００４５】
一方、前記線状プレス部１１ａ、１１ｂは、吸収体４の幅方向及び長手方向に沿った正格子状に配置することも可能である。この他に、各格子が六角形からなるハニカム状に配置してもよい。いずれにしても、吸収体４の厚みが５ｍｍ以下となり、吸収体４の内部における体液の拡散が生じやすいパターンであれば任意の形態を採用することができる。また、上記形態例では、線状プレス部１１ａ、１１ｂを連続する線状に形成しているが、複数のドットを間隔をあけて配置した不連続線状に形成してもよい。
【００４６】
前記吸収体４の表面シート３側の面には、図４及び図５に示されるように、前記コアプレス１０の他に、表面シート３との間に空間を形成しながら裏面シート２側に窪ませることにより、前側部分が着用者の体液排出部Ｈに対応する領域の周囲を囲むように形成され、後側部分が着用者の臀部溝に対応する領域を囲むように後方に細長く延在する、平面視縦長の外側吸収体エンボス１２と、前記外側吸収体エンボス１２の内側に配置され、着用者の体液排出部Ｈのうち特に膣口に対応する領域の周囲を囲むように形成された縦長の楕円形からなる内側吸収体エンボス１３と、前記内側吸収体エンボス１３の後側に離隔して配置され、吸収体４の幅方向中央部に略幅方向に沿って延びる幅方向吸収体エンボス１４とが形成されている。
【００４７】
前記外側吸収体エンボス１２は、体液が外側に急速に拡散するのを防止し、吸収体４の端部からの漏れを防止するとともに、エンボスで囲まれた領域を肌面にフィットしやすくするために設けられるものである。
【００４８】
前記内側吸収体エンボス１３は、膣口から排出される体液を受け止め、外側への拡散スピードを低減するためのものである。
【００４９】
前記外側吸収体エンボス１２及び内側吸収体エンボス１３の平面形状は、図示例では、外側吸収体エンボス１２の前側部分がナプキン長手方向に長い略楕円形に形成されるとともに、後側部分が細長形状に形成され、内側吸収体エンボス１３がナプキン長手方向に長い略楕円形に形成されているが、これに限定されるものではない。例えば、幅方向外側への体液の拡散のみを軽減したい場合には、体液排出部対応領域の両側部にそれぞれ長手方向に沿う曲線状に形成してもよいし、前記外側吸収体エンボス１２を臀部溝に対応する領域まで延在させずに、内側吸収体エンボス１３と同様に縦長の楕円形に形成してもよい。前記外側吸収体エンボス１２及び内側吸収体エンボス１３のいずれか一方又は両方は、その一部又は全部を所定の離隔幅で複数配置した多重線によって形成してもよい。また、前記外側吸収体エンボス１２及び内側吸収体エンボス１３のいずれか一方又は両方は、設けなくてもよい。
【００５０】
前記幅方向吸収体エンボス１４は、後段で詳述するように、後述の長手方向表面エンボス２０から流れ込んだ体液を幅方向に拡散させながら、吸収体４に吸収しやすくするためのものである。
【００５１】
前記幅方向吸収体エンボス１４は、吸収体４又は被包シート５の肌側面からの圧搾により、吸収体４のみ又は被包シート５及び吸収体４を一体的に窪ませたものであり、表面シート３との間に空間を形成しながら配置されている。仮に、前記表面シート３も一体的に圧搾した場合には、加熱により表面シート３がフィルム化して吸収体への体液の移行を阻害するおそれがあるため好ましくない。
【００５２】
前記幅方向吸収体エンボス１４は、前記コアプレス１０と同様に、吸収体４の肌側面からのみ圧縮することにより、吸収体４の肌側面にのみ形成された凹状の窪み部によって構成してもよいし、吸収体４の肌側面及び非肌側面からそれぞれ圧縮することにより、吸収体４の肌側面及び非肌側面の両面にそれぞれ形成された凹状の窪み部によって構成してもよい。
【００５３】
また、前記幅方向吸収体エンボス１４は、種々の形態で形成することが可能である。好ましくは、図４に示されるように、前記内側吸収体エンボス１３の後側に離間するとともに、前記外側吸収体エンボス１２から離間して配置され、後側に膨出する曲線状の平面形状で形成するのがよい。また、前記内側吸収体エンボス１３の前側及び後側における吸収体４の略幅方向に延びる部分１３ａ、１３ｂは、後述の長手方向表面エンボス２０をこの内側吸収体エンボス１３の前側部分１３ａ及び後側部分１３ｂを横断して配置した場合には、これらの部分１３ａ、１３ｂを幅方向吸収体エンボス１４とみなすことができる。後述の長手方向表面エンボス２０が横断する場合には、これらの部分１３ａ、１３ｂも幅方向吸収体エンボス１４と同様の機能が発揮されるためである。ただし、最も外側に配置されるエンボス、図４に示される例では、外側吸収体エンボス１２の前側及び後側における吸収体４の略幅方向に延びる部分１２ａ、１２ｂは、幅方向吸収体エンボス１４として用いるのは好ましくない。この外側吸収体エンボス１２は、これより外側への体液拡散を軽減し、吸収体４の端部からの漏れを防止するためのものであるため、これを横断して後述の長手方向表面エンボス２０を設けると、外側吸収体エンボス１２より外側に体液が拡散しやすくなり、外側吸収体エンボス１２の効果が著しく低下するおそれがある。
【００５４】
前記幅方向吸収体エンボス１４は、図６に示されるように、生理用ナプキン１の長手方向に離隔して複数配置することができる。複数設けることにより、幅方向吸収体エンボス１４を通過する度に、後述の長手方向表面エンボス２０を流れる体液の流速及び流量が徐々に減少し、長手方向表面エンボス２０の後端部に体液が勢いよく流れるのが防止できる。前記幅方向吸収体エンボス１４の数としては、１〜１０個、好ましくは２〜５個程度がよい。複数設ける場合の隣り合う幅方向吸収体エンボス１４、１４の離隔距離としては、あまり近づきすぎると液拡散がしにくく、大きすぎると液拡散の効果が小さいため、１０〜３０ｍｍ程度とするのがよい。
【００５５】
前記幅方向吸収体エンボス１４の平面形状は、特に限定されないが、図４に示されるように、吸収体４の後側に向けて膨出する曲線で形成するのが好ましい。これにより、後述の長手方向表面エンボス２０を前側から後側に向けて流れる体液が幅方向吸収体エンボス１４に流れ込みやすくなるとともに、幅方向吸収体エンボス１４に流れ込んだ体液が幅方向の端部に直進することなく、両側面に接触しやすくなり、側面を通じて吸収体４に吸収されやすくなる。なお、幅方向吸収体エンボス１４の平面形状は、吸収体４の略幅方向に沿って延びる直線でもよいし、前側に向けて膨出する曲線でもよい。
【００５６】
前記幅方向吸収体エンボス１４の吸収体４の幅方向の長さは、特に限定されない。この長さを長くすれば吸収体４の幅方向への拡散性が向上し、吸収体４の幅方向端縁からの漏れが懸念されるため、あまり長くするのは好ましくない。この長さは、吸収体４の幅及び後述の長手方向表面エンボス２０の溝幅によっても異なるが、吸収体４の幅寸法に対して、１／１０〜１／２、好ましくは１／７〜１／３とするのがよい。
【００５７】
図４及び図５に示されるように、少なくとも前記幅方向吸収体エンボス１４と重なる部分及びその近傍で前記コアプレス１０が間欠することにより、前記幅方向吸収体エンボス１４の周囲に所定の幅で非プレス部１５を形成するのが好ましい。すなわち、前記幅方向吸収体エンボス１４部分及びその周囲の所定幅において、前記コアプレス１０が形成されず、前記幅方向吸収体エンボス１４とコアプレス１０との間に圧搾しない領域（非プレス部１５）が形成されている。幅方向吸収体エンボス１４の周囲に前記非プレス部１５を形成することによって、幅方向吸収体エンボス１４から繊維間空隙が大きな非プレス部１５に体液の吸収が速やかに行われるとともに、この非プレス部１５で体液が一時的に貯留された後、高密度のコアプレス１０に浸透するため、体液を吸収体４に素早く吸収させることができる。また、一旦吸収体４に吸収された体液は、密度が小さな非プレス部１５に移行しにくい性質を有しているため、幅方向吸収体エンボス１４への体液の逆戻りが防止できる。
【００５８】
前記非プレス部１５は、幅方向吸収体エンボス１４の周囲に全周に亘って形成され、幅方向吸収体エンボス１４とコアプレス１０とが直接接続しないようになされている。前記非プレス部１５の幅は、体液のバッファーゾーンとしての機能を確保するとともに、吸収体４の厚みが厚くなるのを防止する観点から、０．５〜５ｍｍとするのが好ましい。
【００５９】
前記非プレス部１５は、前記外側吸収体エンボス１２及び内側吸収体エンボス１３の周囲にも形成するのが望ましい。
【００６０】
前記吸収体４にコアプレス１０及び外側吸収体エンボス１２、内側吸収体エンボス１３及び幅方向吸収体エンボス１４を形成するには、前記コアプレス１０及び各エンボス１２、１３、１４に対応する凸部が形成された凸ロールによってコアプレス１０及び各エンボス１２、１３、１４を同時に施してもよいし、コアプレス１０を形成した後、次工程で各エンボス１２、１３、１４を形成してもよい。前記コアプレス１０、中央プレス部１６及び各エンボス１２、１３、１４は、底部の圧搾密度をほぼ同等とし、毛管作用による体液の引き込み力をほぼ均等にし、体液拡散の偏りを生じなくするため、ほぼ同等の溝深さで形成するのが好ましい。
【００６１】
〔長手方向表面エンボス〕
本生理用ナプキン１では、図１に示されるように、前記表面シート３の外面に表面シート３から吸収体４までの間を一体的に裏面シート２側に向けて窪ませた長手方向表面エンボス２０が、生理用ナプキン１の幅方向中央部に長手方向に沿って延びるとともに、前記幅方向吸収体エンボス１４を横断するように形成されている。前記長手方向表面エンボス２０は、体液排出部Ｈに対応する領域における体液を途中で幅方向に拡散させつつ、吸収体４の後側に向けて拡散させ、吸収体４の広い範囲を有効活用するためのものである。
【００６２】
前記長手方向表面エンボス２０は、着用者の体液排出部Ｈに対応する領域から生理用ナプキン１の後側に延びるように設けるのが好ましい。これにより、体液排出部対応領域の体液を後側に拡散させることができ、吸収体の広い範囲を有効活用できるようになる。前記長手方向表面エンボス２０は、着用者の体液排出部Ｈ、具体的に膣口の直ぐ後側から形成するのが好ましい。図１に示される形態例では、前記長手方向表面エンボス２０が、内側吸収体エンボス１３の後側に離隔して配置されている。
【００６３】
前記長手方向表面エンボス２０の後端は、着用者の臀部溝に対応する領域の中間までとするのが好ましい。あまり吸収体４の後側まで延在させると、吸収体４の後端からの漏れが生じるおそれがある。具体的には、臀部溝の周囲を囲むように形成された前記外側吸収体エンボス１２の後側部分のうち、長手方向中央部を若干後側に越えたあたりまでとするのが好ましい。
【００６４】
前記長手方向表面エンボス２０の溝幅は、小さすぎると体液が流れにくく、大きすぎると装着時の違和感を生じるため、２〜１０ｍｍが好ましい。前記長手方向表面エンボス２０の溝幅は、全長に亘ってほぼ一定でもよいし、途中で変化させてもよい。変化させる場合の例としては、前記幅方向吸収体エンボス１４を横断する部分で溝幅を相対的に大きくすることにより、幅方向吸収体エンボス１４に体液を流れ込みやすくしてもよい。また、長手方向表面エンボス２０を流れる体液が幅方向吸収体エンボス１４に流れ込むことによって、長手方向表面エンボス２０の流量が幅方向吸収体エンボス１４を通過する毎に減少するのに合わせて、吸収体４の後側に向けて徐々に、又は前記幅方向吸収体エンボス１４を通過する毎に段階的に溝幅を小さくしてもよい。これにより、後側の溝幅を小さくできるため、装着時の違和感が軽減できる効果も期待できる。
【００６５】
前記長手方向表面エンボス２０は、図１に示されるように、低圧搾部２１と高圧搾部２２とを有し、前記高圧搾部２２が長手方向表面エンボス２０が延びる方向に沿って間隔を空けて複数配置されるのが好ましい。前記低圧搾部２１とは相対的に溝深さが浅く形成された部分であり、前記高圧搾部２２とは相対的に溝深さが深く形成された部分である。図１では、高圧搾部２２を黒塗り部分で表し、その他の白色部分は低圧搾部２１である。前記低圧搾部２１と高圧搾部２２とを有することにより、高圧搾部２２において溝深さが深くなるため、エンボス溝の底面を流れる体液の流れが急激に変化することにより、流速を低下させる効果が生じるようになる。
【００６６】
また、前記高圧搾部２２の少なくとも一部に、前記非プレス部１５の少なくとも一部が重なるように配置された高圧搾部２２を含んでいるのが好ましい。前記長手方向表面エンボス２０を施す際、高圧搾部２２が非プレス部１５に重なるように配置することにより、未圧搾のために復元力が大きな非プレス部１５が圧搾後に復元することなく、前記高圧搾部２２によって確実に圧搾状態が保持され、前記長手方向表面エンボス２０が確実に形成できるようになる。また、非プレス部１５に高圧搾部２２が重ねて配置されることにより、非プレス部１５に吸収された体液が繊維が高密度化された高圧搾部２２に毛管作用により引き込まれやすくなるため、体液の吸収速度が向上できる。
【００６７】
前記高圧搾部２２は、硬くなり装着感が悪化するのを防止するため、面積が１ｃｍ２以下であるのが好ましい。このときの平面形状は特に限定されないが、エンボス溝が延びる方向に沿った長さが、エンボス溝の幅方向の長さの１．５倍以上であると、エンボス溝が延びる方向に沿った体液の流れが生じやすいため、好ましい。図１に示される例では、エンボス溝が延びる方向に長い略菱形に形成されている。
【００６８】
隣り合う高圧搾部２２、２２の離隔距離は、２〜２０ｍｍが好ましい。２ｍｍより小さいと、非プレス部１５に体液が浸透しにくく、２０ｍｍより大きいと高圧搾部２２における流速の低減効果があまり期待できない。
【００６９】
前記高圧搾部２２は、前記幅方向吸収体エンボス１４の少なくとも前側に近接して配置するのが好ましい。これにより、長手方向表面エンボス２０を前側から後側に向けて流れる体液の流速が高圧搾部２２において低減された直後に幅方向吸収体エンボス１４が位置することとなり、幅方向吸収体エンボス１４に体液が流れ込みやすくなる。また、前記高圧搾部２２が基点となって、長手方向表面エンボス２０を流れる体液を幅方向吸収体エンボス１４に分散させやすくなる。高圧搾部２２の具体的な配置位置としては、高圧搾部２２の後端部が幅方向吸収体エンボス１４の前側に隣接する非プレス部１５と重なる位置とするのが好ましい。
【００７０】
前記低圧搾部２１の溝深さは、前記吸収体４に形成されたコアプレス１０及び各エンボス１２、１３、１４とほぼ同等またはこれより若干深くするのが好ましい。
【００７１】
以上の構成からなる本生理用ナプキン１の体液の流れについて、図７に基づいて詳細に説明する。着用者の体液排出部Ｈに対応する領域に排出された体液が長手方向表面エンボス２０に流れ込んで、この長手方向表面エンボス２０の溝内を後側に向けて流れる。その途中で、長手方向表面エンボス２０の側面から表面シート３を浸透して幅方向吸収体エンボス１４に体液が流れ込む。幅方向吸収体エンボス１４に流れ込んだ体液は、幅方向吸収体エンボス１４の周囲に密度が小さく繊維間空隙が大きな非プレス部１５が設けられているため、この非プレス部１５を構成する繊維との接触により非プレス部１５の繊維間に毛管作用により吸収される。その後、非プレス部１５に吸収された体液は、繊維間空隙が小さな隣接するコアプレス１０に毛管作用によって引き込まれるとともに、コアプレス１０によって区画された各格子部に浸透して保持される。また、長手方向表面エンボス２０を後側に向けて流れる体液は、底面に高圧搾部２２が設けられる場合には、その作用によって流速が徐々に低下しつつ、側面から表面シート３を浸透して吸収体４に吸収され、コアプレス１０によって区画された各格子部やコアプレス１０部分に保持される。このように、長手方向表面エンボス２０が幅方向吸収体エンボス１４に流れ込むことによって吸収体４に素早く吸収保持されるため、吸収速度が低下することなく、吸収体４の広い範囲に体液を拡散させて吸収することができ、吸収体の備える吸収容量を有効活用することができる。また、長手方向表面エンボス２０を流れる体液の流量が減少し、長手方向表面エンボス２０の後側に勢いよく体液が流れなくなるため、端部に達した体液による後漏れが防止できる。
【符号の説明】
【００７２】
１…生理用ナプキン、２…裏面シート、３…表面シート、４…吸収体、５…被包シート、７…サイド不織布、１０…コアプレス、１１…線状プレス部、１１ａ…第１の線状プレス部、１１ｂ…第２の線状プレス部、１２…外側吸収体エンボス、１３…内側吸収体エンボス、１４…幅方向吸収体エンボス、１５…非プレス部、２０…長手方向表面エンボス、２１…低圧搾部、２２…高圧搾部
【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
透液性の表面シートと不透液性の裏面シートとの間に吸収体が介在された吸収性物品において、
前記吸収体の少なくとも前記表面シート側の面に、前記表面シートとの間に空間を形成しながら前記裏面シート側に向けて窪ませた、前記吸収体の厚みを厚み方向に圧縮するコアプレスが格子状パターンで形成されるとともに、前記吸収体の幅方向中央部に、略幅方向に沿って延びる幅方向吸収体エンボスが吸収性物品の長手方向に離隔して複数形成され、
前記幅方向吸収体エンボスと重なる部分及びその近傍で前記コアプレスを間欠させた非プレス部が、前記幅方向吸収体エンボスの全周囲に沿って形成され、前記幅方向吸収体エンボスと前記コアプレスとが直接接続しないようにされ、
前記表面シートの外面に前記表面シートから吸収体までの間を一体的に前記裏面シート側に向けて窪ませた長手方向表面エンボスが、吸収性物品の幅方向中央部に長手方向に沿って延びるとともに、前記幅方向吸収体エンボスを横断するように形成され、かつ前記長手方向表面エンボスの底面は、低圧搾部と前記長手方向表面エンボスが延びる方向に沿って間隔を空けて複数配置された高圧搾部とで構成され、前記高圧搾部は前記幅方向吸収体エンボスよりも前側であって、高圧搾部の後端部が前記幅方向吸収体エンボスの前側に隣接する非プレス部と重なる位置に配置されていることを特徴とする吸収性物品。
【請求項２】
前記長手方向表面エンボスは、着用者の体液排出部に対応する領域から後側に延びるように設けられている請求項１記載の吸収性物品。
【請求項３】
前記幅方向吸収体エンボスは、着用者の体液排出部に対応する領域の周囲を囲む環状に形成された圧搾溝の略幅方向に延びる部分及び吸収性物品の略幅方向に沿って延びる独立する圧搾溝のいずれか又はこれらの組み合わせからなる請求項１、２いずれかに記載の吸収性物品。
【請求項４】
前記吸収体の厚みが５ｍｍ以下である請求項１〜３いずれかに記載の吸収性物品。
【手続補正２】
【補正対象書類名】明細書
【補正対象項目名】全文
【補正方法】変更
【補正の内容】
【発明の詳細な説明】
【技術分野】
【０００１】
本発明は、主には生理用ナプキン、おりものシート、失禁パッド、トイレタリー等に使用される吸収性物品であって、詳しくは吸収体の厚みを薄型化したスリムタイプの吸収性物品において、吸収体を窪ませて所定の圧搾溝を形成することによって、体液の吸収速度の低下や漏れを生じることなく、吸収体の広い範囲を有効活用できるようにした吸収性物品に関する。
【背景技術】
【０００２】
従来より、前記吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
前記吸収体の厚みを薄型化したスリムタイプの吸収性物品は、装着時の違和感が軽減できる、装着時に吸収性物品の凹凸が着衣の外から見えにくくなる（アウターに響かなくなる）などの利点を有するため、広く市場に提供されている。
【０００４】
しかしながら、このようなスリムタイプの吸収性物品において、吸収体を厚み方向に圧縮するプレス加工を施すことにより、吸収体の厚みを薄型化したものでは、体液の吸収速度が低下する問題が指摘されていた。一般に、吸収体が体液に接触して吸水するメカニズムは、先ず体液が吸収体を構成しているパルプ等の繊維表面に付着し、次いで繊維と繊維との間（繊維間空隙）を毛管作用により吸収体の内部に浸透する。したがって、吸収体の吸水性は、パルプ自体の吸水性、繊維表面のぬれ性の他、繊維の組織や密度など吸収体の構造にも密接に関係している。同一のパルプを用いた場合、繊維密度が低いものほど繊維間空隙が大きくなるため、吸水性が高くなると考えられる。したがって、プレス加工を施すことによって繊維が圧密化された部分では、繊維間空隙が小さいために体液の初期吸収速度が遅くなる。
【０００５】
また、スリムタイプの吸収性物品は、吸収体の厚みが薄いため、単位面積当たりの吸収容量が小さく、厚み方向に対する液保持能力が低いことから、平面方向に拡散させることで、吸収体が本来備える吸収性能を有効活用できるようにすることが求められている。
【０００６】
このような拡散性を向上する技術として、下記特許文献１には、吸収性コアに、該吸収性コアを厚み方向に貫通する孔からなる非積繊部が、股下部を通って縦方向に延びるように形成された吸収性物品が開示されている。また、下記特許文献２には、複数本の高密度部と複数本の低密度部とが、それぞれ、吸収体の長手方向に延びて形成されており、該高密度部と該低密度部とは、吸収体の幅方向に交互に形成されている吸収性物品が開示されている。
【先行技術文献】
【特許文献】
【０００７】
【特許文献１】特開２０１６−１１２０８１号公報
【特許文献２】特開２０１０−１３６８９９号公報
【発明の概要】
【発明が解決しようとする課題】
【０００８】
しかしながら、上記特許文献１に記載された吸収性物品では、非積繊部を伝って体液が後側に勢いよく流れやすいため、体液が非積繊部の後側端部に到達して吸収体の一部に体液が集中するおそれがあり、この場合には漏れが生じやすくなる。また、スリムタイプの吸収性物品では、吸収体に非積繊部を設けると、その分だけ体液の吸収容量が低下するため、吸収性能が悪化するおそれがある。
【０００９】
また、上記特許文献２に記載された吸収性物品では、高密度部と低密度部とが交互に形成されているので、吸収体の厚みが厚くなる傾向にあり、スリムタイプの吸収性物品には不向きである。また、前記高密度部が吸収体の長手方向に延びているため、この高密度部を伝って高密度部の端部に体液が拡散しやすく、吸収体の端部からの漏れが懸念される。
【００１０】
そこで本発明の主たる課題は、吸収速度の低下や漏れを生じることなく、吸収体の広い範囲を有効活用できるようにした吸収性物品を提供することにある。
【課題を解決するための手段】
【００１１】
上記課題を解決するために請求項１に係る本発明として、透液性の表面シートと不透液性の裏面シートとの間に吸収体が介在された吸収性物品において、
前記吸収体の少なくとも前記表面シート側の面に、前記表面シートとの間に空間を形成しながら前記裏面シート側に向けて窪ませた、前記吸収体の厚みを厚み方向に圧縮するコアプレスが格子状パターンで形成されるとともに、前記吸収体の幅方向中央部に、略幅方向に沿って延びる幅方向吸収体エンボスが吸収性物品の長手方向に離隔して複数形成され、
前記幅方向吸収体エンボスと重なる部分及びその近傍で前記コアプレスを間欠させた非プレス部が、前記幅方向吸収体エンボスの全周囲に沿って形成され、前記幅方向吸収体エンボスと前記コアプレスとが直接接続しないようにされ、
前記表面シートの外面に前記表面シートから吸収体までの間を一体的に前記裏面シート側に向けて窪ませた長手方向表面エンボスが、吸収性物品の幅方向中央部に長手方向に沿って延びるとともに、前記幅方向吸収体エンボスを横断するように形成され、かつ前記長手方向表面エンボスの底面は、低圧搾部と前記長手方向表面エンボスが延びる方向に沿って間隔を空けて複数配置された高圧搾部とで構成され、前記高圧搾部は前記幅方向吸収体エンボスよりも前側であって、高圧搾部の後端部が前記幅方向吸収体エンボスの前側に隣接する非プレス部と重なる位置に配置されていることを特徴とする吸収性物品が提供される。
【００１２】
上記請求項１記載の発明では、吸収体に格子状パターンでコアプレスを施すことにより、吸収体を厚み方向に圧縮したスリムタイプの吸収性物品である。前記コアプレスを施すことにより、吸収体の繊維の疎密差が形成され、吸収体内部の拡散性を向上させることができる。
【００１３】
また、前記長手方向表面エンボスを、吸収性物品の幅方向中央部に長手方向に沿って形成することにより、この長手方向表面エンボスの内部を流れて吸収性物品の長手方向に対する拡散性を向上させている。ここで、前記長手方向表面エンボスの底面は、圧搾により押し固められ、繊維密度が非常に高くなっているため、体液の吸収性能が著しく低下している。また、長手方向表面エンボスの側面においても前記コアプレスが施された部分では、コアプレスによって繊維が圧密化しているため、体液が吸収しにくくなっている。しかしながら、本発明では、前記長手方向表面エンボスが吸収性物品の長手方向に離隔して複数形成されている幅方向吸収体エンボスを横断するように形成されているため、長手方向表面エンボスを流れる体液の一部が前記幅方向吸収体エンボスに流入して幅方向吸収体エンボスにおいて吸収体に吸収されるようになる。前記幅方向吸収体エンボスを吸収性物品の長手方向に離隔して複数設けることにより、長手方向表面エンボスを流れる途中で順次幅方向吸収体エンボスに体液が流れ込み、長手方向表面エンボスを流れる体液の流速が後方に向かうにしたがって徐々に小さくなり、長手方向表面エンボスの後端部に体液が勢いよく流れることなく、吸収体の後端からの漏れが防止できる。
【００１４】
また、幅方向吸収体エンボスにおいては、繊維密度が小さく繊維間空隙が大きな非プレス部が全周囲に沿って配置され、前記幅方向吸収体エンボスと前記コアプレスとが直接接続しないようにされているため、幅方向吸収体エンボスの側面から体液が非プレス部に浸透しやすくなっている。非プレス部に浸透した体液は、幅方向吸収体エンボスに沿って幅方向に拡散するとともに、前記コアプレスとの繊維の疎密差に伴う毛管作用により、吸収体の広い範囲に拡散しやすくなっている。また、前記非プレス部から繊維間空隙が小さな吸収体の内部に浸透した体液は、繊維間空隙が大きな非プレス部に移行にくい性質を有しているため、幅方向吸収体エンボスに逆戻りしにくい構造となっている。
【００１５】
このように、本吸収性物品では、吸収体の厚みを薄型化したスリムタイプの吸収性物品において、吸収速度の低下や漏れを生じることなく、吸収体の広い範囲を有効活用して、より多くの体液を吸収保持できるようになる。
【００１６】
また、本発明では、前記長手方向表面エンボスの底面は、低圧搾部と前記長手方向表面エンボスが延びる方向に沿って間隔を空けて複数配置された高圧搾部とで構成され、前記高圧搾部は前記幅方向吸収体エンボスよりも前側であって、高圧搾部の後端部が前記幅方向吸収体エンボスの前側に隣接する非プレス部と重なる位置に配置されている。
【００１７】
前記長手方向表面エンボスの底面が低圧搾部と前記長手方向表面エンボスが延びる方向に沿って間隔を空けて複数配置された高圧搾部とで構成されているため、底面が凹んでいる前記高圧搾部を体液が通過する際に、体液の流速が一時的に減少し、長手方向表面エンボスを体液が勢いよく流れるのが抑制できる。また、前記高圧搾部は前記幅方向吸収体エンボスの少なくとも前側に近接よりも前側であって、高圧搾部の後端部が前記幅方向吸収体エンボスの前側に隣接する非プレス部と重なる位置に配置されていることにより、長手方向表面エンボスを前側から後側に向けて流れる体液の流速が高圧搾部において低減された直後に幅方向吸収体エンボスが位置することとなり、幅方向吸収体エンボスに体液が流れ込みやすくなる。また、前記高圧搾部が基点となって、長手方向表面エンボスを流れる体液を幅方向吸収体エンボスに分散させやすくなる。
【００１８】
請求項２に係る本発明として、前記長手方向表面エンボスは、着用者の体液排出部に対応する領域から後側に延びるように設けられている請求項１記載の吸収性物品が提供される。
【００１９】
上記請求項２記載の発明では、着用者の体液排出部に対応する領域から後側に延びるように前記長手方向表面エンボスを設けることにより、この領域に排出された体液を吸収性物品の後方に拡散しやすくしている。
【００２０】
請求項３に係る本発明として、前記幅方向吸収体エンボスは、着用者の体液排出部に対応する領域の周囲を囲む環状に形成された圧搾溝の略幅方向に延びる部分及び吸収性物品の略幅方向に沿って延びる独立する圧搾溝のいずれか又はこれらの組み合わせからなる請求項１、２いずれかに記載の吸収性物品が提供される。
【００２１】
上記請求項３記載の発明では、前記幅方向吸収体エンボスとして、着用者の体液排出部に対応する領域の周囲を囲む環状の圧搾溝の略幅方向に延びる部分によって形成してもよいし、独立する圧搾溝によって形成してもよいことを規定している。いずれにおいても、長手方向表面エンボスを流れる体液が幅方向吸収体エンボスに流れ込み、体液を広い範囲に拡散させつつ吸収保持できるようになる。
【００２２】
請求項４に係る本発明として、前記吸収体の厚みが５ｍｍ以下である請求項１〜３いずれかに記載の吸収性物品が提供される。
【００２３】
上記請求項４記載の発明では、前記吸収体にコアプレスを施すことによって吸収体の厚み（最大厚み）が５ｍｍ以下の薄型にしている。
【発明の効果】
【００２４】
以上詳説のとおり本発明によれば、吸収速度の低下や漏れを生じることなく、吸収体の広い範囲を有効活用できるようになる。
【図面の簡単な説明】
【００２５】
【図１】本発明に係る生理用ナプキン１の一部破断展開図である。
【図２】図１のII−II線矢視図である。
【図３】図１のIII−III線矢視図である。
【図４】吸収体４の平面図である。
【図５】図４のV−V線矢視図である。
【図６】変形例に係る吸収体４の平面図である。
【図７】体液の流れを示す、図４のVII−VII線矢視図（吸収体４の縦断面図）である。
【発明を実施するための形態】
【００２６】
以下、本発明の実施の形態について図面を参照しながら詳述する。
【００２７】
〔生理用ナプキン１の基本構造〕
本発明に係る生理用ナプキン１は、図１〜図３に示されるように、ポリエチレンシートなどからなる不透液性の裏面シート２と、経血やおりものなど（以下、まとめて体液ともいう。）を速やかに透過させる透液性の表面シート３と、これら両シート２，３間に介装された綿状パルプまたは合成パルプなどからなる吸収体４と、肌当接面側の両側部に長手方向のほぼ全長に亘って設けられたサイド不織布７、７とを備え、かつ前記吸収体４の周囲においては、その上下端縁部では前記裏面シート２と表面シート３との外縁部がホットメルトなどの接着剤やヒートシール、超音波シール等の接合手段によって接合され、またその両側縁部では吸収体４よりも側方に延出している前記裏面シート２と前記サイド不織布７とがホットメルトなどの接着剤やヒートシール、超音波シール等の接合手段によって接合されることにより、吸収体が介在しないフラップ部が形成されたものである。なお、図示例では、前記吸収体４の形状保持および拡散性向上のために、前記吸収体４をクレープ紙又は不織布などからなる被包シート５で囲繞しているが、この被包シート５は設けなくてもよい。また、図示しないが、前記表面シート３の非肌側に隣接して、前記表面シート３とほぼ同形状の親水性の不織布などからなるセカンドシートを配設してもよい。
【００２８】
以下、さらに前記生理用ナプキン１の構造について詳述すると、
前記裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記裏面シート２の非肌側面（外面）にはナプキン長手方向に沿って１または複数条の粘着剤層（図示せず）が形成され、身体への装着時に生理用ナプキン１を下着に固定するようになっている。前記裏面シート２としては、プラスチックフィルムと不織布とを積層させたポリラミ不織布を用いてもよい。
【００２９】
次いで、前記表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００３０】
前記表面シート３の幅寸法は、図２及び図３の横断面図に示されるように、吸収体４の幅寸法よりも若干長めとされ、吸収体４を覆うだけに止まり、それより外方側は前記表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されたサイド不織布７が配設されている。
【００３１】
かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３２】
前記サイド不織布７は、図２に示されるように、幅方向中間部より外側部分を所定の内側位置から裏面シート２の外縁までの範囲に亘ってホットメルトなどの接着剤によって接着し、所定の位置に所定のフラップ部が形成されている。このフラップ部は、ほぼ体液排出部Ｈに対応する部分の両側部に左右一対のウイング状フラップＷ、Ｗを形成するとともに、これより臀部側（後部側）位置にヒップホールド用フラップＷＢ、ＷＢを形成してもよい。これらウイング状フラップＷ、Ｗおよびヒップホールド用フラップＷＢ、ＷＢの外面側にはそれぞれ粘着剤層（図示せず）が備えられ、ショーツに対する装着時に、前記ウイング状フラップＷ、Ｗを基端部の折返し線ＲＬ位置にて反対側に折り返し、ショーツのクロッチ部分に巻き付けて止着するとともに、前記ヒップホールド用フラップＷＢをショーツの内面に止着するようになっている。一方、前記サイド不織布７の内方側部分は表面シート３の肌側に積層された状態で吸収体４側（表面シート３の肌側面）に接着されている。
【００３３】
〔吸収体〕
前記裏面シート２と表面シート３との間に介在される吸収体４は、たとえばパルプと高吸水性ポリマーとにより構成されている。前記高吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３４】
本生理用ナプキン１は、吸収体４の目付を低くした薄型のスリムナプキンである。前記パルプの目付は、５０〜３００ｇ／ｍ２、好ましくは８０〜２２０ｇ／ｍ２とするのがよく、前記高吸水性ポリマーの目付は、３０〜１８０ｇ／ｍ２、好ましくは５０〜１６０ｇ／ｍ２とするのがよい。これらパルプ及び高吸水性ポリマーの目付は、一定である必要はなく、吸収体の部位によって変化させても良い。例えば、着用者の体液排出部Ｈに対応する領域においてパルプと高吸水性ポリマーの目付を高くした高吸収部を形成することができる。装着時の違和感を軽減し、アウターに響かなくするため、前記吸収体４の厚みは５ｍｍ以下、好ましくは２〜５ｍｍとするのがよい。また、吸収体の密度（平均密度）は、０．０１ｇ／ｃｍ３以上とするのがよい。
【００３５】
前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３６】
図４及び図５に示されるように、前記吸収体４の少なくとも前記表面シート３側の面（肌側の面）に、表面シート３との間に空間を形成しながら前記裏面シート２側（非肌側）に向けて窪ませたコアプレス１０が形成されている。このコアプレス１０は、前記吸収体４の厚みを厚み方向に圧縮するためのものであり、吸収体４の全面を圧縮するのではなく、所定の間隔をあけた所定のパターンで圧縮したものである。前記コアプレス１０を施した部分が厚み方向に圧縮されることによって、コアプレス１０を施さない部分の繊維がこれに引き込まれ、コアプレス１０を施さない部分が影響を受けてある程度圧縮されるため、吸収体４全体の厚みが厚み方向に小さくなる。前記「吸収体４の厚み」とは、吸収体４の全体の厚みであって、具体的には最も肉厚な部分において計測した最大厚みのことであり、（株）尾崎製作所製の定圧厚み測定器デジタルタイプＦＦＤ−７によって測定することができる。
【００３７】
前記コアプレス１０を施すことによって減少する厚みの割合としては、コアプレス１０を施す前の吸収体４の厚みをｔ０、コアプレス１０を施した後の吸収体４の厚みをｔとすると、ｔ／ｔ０＝１／１０〜７／１０程度であるのが好ましい。この割合が１／１０より小さいと吸収体が硬くなって装着感が悪化する。逆に７／１０より大きいと、コアプレス１０による圧縮の効果が小さく、吸収体４の厚みが大きくなる。この割合を変化させるには、コアプレス１０の圧縮深さ、隣り合うコアプレス同士の間隔、コアプレス１０の平面パターンなどを調整することにより成すことができる。
【００３８】
前記コアプレス１０は、図示例では、吸収体４の肌側面（表面シート３側の面）からのみ圧縮することにより、吸収体４の肌側面に凹状の窪み部が形成され、非肌側面（裏面シート２側の面）はほぼ平坦に形成されている。このような加工を行うには、表面に多数の凸部が形成された凸ロールと表面がフラットなアンビルロールとの間に吸収体を通過させることにより成すことができる。一方、図示しないが、吸収体４の肌側面及び非肌画面の両面からそれぞれ圧縮することにより、吸収体４の肌側面及び非肌側面の両面にそれぞれ凹状の窪み部が形成されるようにしてもよい。このように加工するには、表面に多数の凸部が形成された第１凸ロールと、前記第１凸ロールの凸部に対応する位置に同じく凸部が形成された第２凸ロールとの間を通過させることにより成すことができる。少なくとも肌側面を圧縮することにより、表面シート３側から浸透した体液がコアプレス１０の凹部に流入し、コアプレス１０に沿って拡散しやすくなるとともに、拡散する過程で随時吸収体４に吸収されるようになる。
【００３９】
前記コアプレス１０は、図４に示されるように、吸収体４のほぼ全体に同じパターンで形成するのが好ましい。すなわち、着用者の体液排出部Ｈに対応する領域にも、それ以外の領域と同様のパターンで施されている。これによって、吸収体４の全体を薄型化でき、装着時の違和感が確実に軽減できるとともに、確実にアウターに響かなくすることができる。
【００４０】
前記コアプレス１０は、吸収体４の厚みを厚み方向に圧縮できれば任意のパターンで施すことができるが、図４に示されるように、吸収体４の端縁間に亘って形成された、連続する又は所定の部位において間欠する複数の線状プレス部１１、１１…を含むのが好ましい。前記線状プレス部１１は、吸収体４の外縁に達しない中間部に形成されるのではなく、吸収体４の前後端縁及び左右端縁のうちの一つの端縁と、それ以外のいずれかの端縁との間に亘って形成されている。吸収体４の端縁間に亘って形成することにより、吸収体４の全体を圧縮することができ、確実に薄型化できるようになる。
【００４１】
前記コアプレス１０は、幅方向の一方側に傾斜し、長手方向に所定の間隔をあけて複数配置された第１の線状プレス部１１ａ、１１ａ…と、前記第１の線状プレス部１１ａに交差するとともに、幅方向の他方側に傾斜し、長手方向に所定の間隔をあけて複数配置された第２の線状プレス部１１ｂ、１１ｂ…とにより構成された格子状パターンを含むのが好ましい。コアプレス１０を格子状パターンで形成することによって吸収体４の厚みがより確実に薄型化でき、装着時の違和感の軽減やアウターへの響きにくさの効果が顕著になる。前記第１の線状プレス部１１ａ…及び第２の線状プレス部１１ｂ…はそれぞれ、ほぼ同じ間隔で配置するのが好ましく、これによって、前記線状プレス部１１ａ、１１ｂによって周囲が区画された正方形又は菱形からなる略四角形の格子が多数配置されるようになる。前記線状プレス部１１ａ、１１ｂで囲まれた略四角形の格子部分は、直接圧縮された部分ではないが、前記線状プレス部１１ａ、１１ｂの影響を受けて元の厚みより厚みが小さくなる。
【００４２】
前記第１の線状プレス部１１ａと第２の線状プレス部１１ｂとの交差角度は、図示例ではほぼ直角であるが、３０°〜１５０°程度の角度を有していれば良い。前記第１の線状プレス部１１ａ及び第２の線状プレス部１１ｂは、生理用ナプキン１の幅方向に対して傾斜しているのが望ましい。これにより、歩行時などに左右の脚をそれぞれ前後に動かしたとき、脚の付け根の内側からの圧力によって、生理用ナプキン１にねじれ方向の力が加わったとき、前記線状プレス部１１ａ、１１ｂに沿って吸収体４が斜め方向に変形しやすく、身体の動きに追従しやすくなる。また、これらの線状プレス部１１ａ、１１ｂに沿って体液が生理用ナプキン１の幅方向に流れるため、幅方向に平行に延びる線状プレス部を形成した場合に比べて、横漏れが生じるのが防止できる。このような斜め方向の変形を生じやすくする観点及び横漏れを防止する観点から、前記線状プレス部１１ａ、１１ｂは、生理用ナプキン１の幅方向に対して３０°以上の角度で傾斜しているのが好ましい。
【００４３】
前記吸収体４を確実に薄型化するため、図４に示されるように、前記第１の線状プレス部１１ａと第２の線状プレス部１１ｂとによって区画される各格子の１辺の長さａは、４〜１０ｍｍとするのが好ましい。４ｍｍより小さいと、線状プレス部１１ａ、１１ｂ同士の間隔が近接しすぎて吸収体４が硬くなり、装着感が悪化する。一方、１０ｍｍより大きいと、各格子の中央部が肌側に膨出して、吸収体４の全体を充分に薄型化することができない。
【００４４】
前記吸収体４を確実に薄型化するため、図４及び図５に示されるように、前記線状プレス部１１ａ、１１ｂと離間する各格子の中央部に、円形、多角形などからなる点状又はドット状の中央プレス部１６を施してもよい。これにより、各格子の中央部が肌側に膨出するのが押さえられ、吸収体４の硬さをあまり増加させずに、吸収体４の全体を確実に薄型化することができるようになる。また、各格子部分に浸透した体液は、毛細管現象によって繊維密度が高い中央プレス部１６に向けて拡散しやすくなるため、拡散性が向上して体液を素早く吸収することができるようになる。前記中央プレス部１６を設けた場合の各格子の１辺の長さａとしては、当該中央プレス部１６を設けない場合の長さより大きくすることができ、最大で１５ｍｍ程度としても、吸収体４を薄型化するという観点からは問題がない。なお、前記線状プレス部１１ａ、１１ｂの幅は、０．５〜３ｍｍとするのがよい。
【００４５】
一方、前記線状プレス部１１ａ、１１ｂは、吸収体４の幅方向及び長手方向に沿った正格子状に配置することも可能である。この他に、各格子が六角形からなるハニカム状に配置してもよい。いずれにしても、吸収体４の厚みが５ｍｍ以下となり、吸収体４の内部における体液の拡散が生じやすいパターンであれば任意の形態を採用することができる。また、上記形態例では、線状プレス部１１ａ、１１ｂを連続する線状に形成しているが、複数のドットを間隔をあけて配置した不連続線状に形成してもよい。
【００４６】
前記吸収体４の表面シート３側の面には、図４及び図５に示されるように、前記コアプレス１０の他に、表面シート３との間に空間を形成しながら裏面シート２側に窪ませることにより、前側部分が着用者の体液排出部Ｈに対応する領域の周囲を囲むように形成され、後側部分が着用者の臀部溝に対応する領域を囲むように後方に細長く延在する、平面視縦長の外側吸収体エンボス１２と、前記外側吸収体エンボス１２の内側に配置され、着用者の体液排出部Ｈのうち特に膣口に対応する領域の周囲を囲むように形成された縦長の楕円形からなる内側吸収体エンボス１３と、前記内側吸収体エンボス１３の後側に離隔して配置され、吸収体４の幅方向中央部に略幅方向に沿って延びる幅方向吸収体エンボス１４とが形成されている。
【００４７】
前記外側吸収体エンボス１２は、体液が外側に急速に拡散するのを防止し、吸収体４の端部からの漏れを防止するとともに、エンボスで囲まれた領域を肌面にフィットしやすくするために設けられるものである。
【００４８】
前記内側吸収体エンボス１３は、膣口から排出される体液を受け止め、外側への拡散スピードを低減するためのものである。
【００４９】
前記外側吸収体エンボス１２及び内側吸収体エンボス１３の平面形状は、図示例では、外側吸収体エンボス１２の前側部分がナプキン長手方向に長い略楕円形に形成されるとともに、後側部分が細長形状に形成され、内側吸収体エンボス１３がナプキン長手方向に長い略楕円形に形成されているが、これに限定されるものではない。例えば、幅方向外側への体液の拡散のみを軽減したい場合には、体液排出部対応領域の両側部にそれぞれ長手方向に沿う曲線状に形成してもよいし、前記外側吸収体エンボス１２を臀部溝に対応する領域まで延在させずに、内側吸収体エンボス１３と同様に縦長の楕円形に形成してもよい。前記外側吸収体エンボス１２及び内側吸収体エンボス１３のいずれか一方又は両方は、その一部又は全部を所定の離隔幅で複数配置した多重線によって形成してもよい。また、前記外側吸収体エンボス１２及び内側吸収体エンボス１３のいずれか一方又は両方は、設けなくてもよい。
【００５０】
前記幅方向吸収体エンボス１４は、後段で詳述するように、後述の長手方向表面エンボス２０から流れ込んだ体液を幅方向に拡散させながら、吸収体４に吸収しやすくするためのものである。
【００５１】
前記幅方向吸収体エンボス１４は、吸収体４又は被包シート５の肌側面からの圧搾により、吸収体４のみ又は被包シート５及び吸収体４を一体的に窪ませたものであり、表面シート３との間に空間を形成しながら配置されている。仮に、前記表面シート３も一体的に圧搾した場合には、加熱により表面シート３がフィルム化して吸収体への体液の移行を阻害するおそれがあるため好ましくない。
【００５２】
前記幅方向吸収体エンボス１４は、前記コアプレス１０と同様に、吸収体４の肌側面からのみ圧縮することにより、吸収体４の肌側面にのみ形成された凹状の窪み部によって構成してもよいし、吸収体４の肌側面及び非肌側面からそれぞれ圧縮することにより、吸収体４の肌側面及び非肌側面の両面にそれぞれ形成された凹状の窪み部によって構成してもよい。
【００５３】
また、前記幅方向吸収体エンボス１４は、種々の形態で形成することが可能である。好ましくは、図４に示されるように、前記内側吸収体エンボス１３の後側に離間するとともに、前記外側吸収体エンボス１２から離間して配置され、後側に膨出する曲線状の平面形状で形成するのがよい。また、前記内側吸収体エンボス１３の前側及び後側における吸収体４の略幅方向に延びる部分１３ａ、１３ｂは、後述の長手方向表面エンボス２０をこの内側吸収体エンボス１３の前側部分１３ａ及び後側部分１３ｂを横断して配置した場合には、これらの部分１３ａ、１３ｂを幅方向吸収体エンボス１４とみなすことができる。後述の長手方向表面エンボス２０が横断する場合には、これらの部分１３ａ、１３ｂも幅方向吸収体エンボス１４と同様の機能が発揮されるためである。ただし、最も外側に配置されるエンボス、図４に示される例では、外側吸収体エンボス１２の前側及び後側における吸収体４の略幅方向に延びる部分１２ａ、１２ｂは、幅方向吸収体エンボス１４として用いるのは好ましくない。この外側吸収体エンボス１２は、これより外側への体液拡散を軽減し、吸収体４の端部からの漏れを防止するためのものであるため、これを横断して後述の長手方向表面エンボス２０を設けると、外側吸収体エンボス１２より外側に体液が拡散しやすくなり、外側吸収体エンボス１２の効果が著しく低下するおそれがある。
【００５４】
前記幅方向吸収体エンボス１４は、図６に示されるように、生理用ナプキン１の長手方向に離隔して複数配置することができる。複数設けることにより、幅方向吸収体エンボス１４を通過する度に、後述の長手方向表面エンボス２０を流れる体液の流速及び流量が徐々に減少し、長手方向表面エンボス２０の後端部に体液が勢いよく流れるのが防止できる。前記幅方向吸収体エンボス１４の数としては、１〜１０個、好ましくは２〜５個程度がよい。複数設ける場合の隣り合う幅方向吸収体エンボス１４、１４の離隔距離としては、あまり近づきすぎると液拡散がしにくく、大きすぎると液拡散の効果が小さいため、１０〜３０ｍｍ程度とするのがよい。
【００５５】
前記幅方向吸収体エンボス１４の平面形状は、特に限定されないが、図４に示されるように、吸収体４の後側に向けて膨出する曲線で形成するのが好ましい。これにより、後述の長手方向表面エンボス２０を前側から後側に向けて流れる体液が幅方向吸収体エンボス１４に流れ込みやすくなるとともに、幅方向吸収体エンボス１４に流れ込んだ体液が幅方向の端部に直進することなく、両側面に接触しやすくなり、側面を通じて吸収体４に吸収されやすくなる。なお、幅方向吸収体エンボス１４の平面形状は、吸収体４の略幅方向に沿って延びる直線でもよいし、前側に向けて膨出する曲線でもよい。
【００５６】
前記幅方向吸収体エンボス１４の吸収体４の幅方向の長さは、特に限定されない。この長さを長くすれば吸収体４の幅方向への拡散性が向上し、吸収体４の幅方向端縁からの漏れが懸念されるため、あまり長くするのは好ましくない。この長さは、吸収体４の幅及び後述の長手方向表面エンボス２０の溝幅によっても異なるが、吸収体４の幅寸法に対して、１／１０〜１／２、好ましくは１／７〜１／３とするのがよい。
【００５７】
図４及び図５に示されるように、少なくとも前記幅方向吸収体エンボス１４と重なる部分及びその近傍で前記コアプレス１０が間欠することにより、前記幅方向吸収体エンボス１４の周囲に所定の幅で非プレス部１５を形成するのが好ましい。すなわち、前記幅方向吸収体エンボス１４部分及びその周囲の所定幅において、前記コアプレス１０が形成されず、前記幅方向吸収体エンボス１４とコアプレス１０との間に圧搾しない領域（非プレス部１５）が形成されている。幅方向吸収体エンボス１４の周囲に前記非プレス部１５を形成することによって、幅方向吸収体エンボス１４から繊維間空隙が大きな非プレス部１５に体液の吸収が速やかに行われるとともに、この非プレス部１５で体液が一時的に貯留された後、高密度のコアプレス１０に浸透するため、体液を吸収体４に素早く吸収させることができる。また、一旦吸収体４に吸収された体液は、密度が小さな非プレス部１５に移行しにくい性質を有しているため、幅方向吸収体エンボス１４への体液の逆戻りが防止できる。
【００５８】
前記非プレス部１５は、幅方向吸収体エンボス１４の周囲に全周に亘って形成され、幅方向吸収体エンボス１４とコアプレス１０とが直接接続しないようになされている。前記非プレス部１５の幅は、体液のバッファーゾーンとしての機能を確保するとともに、吸収体４の厚みが厚くなるのを防止する観点から、０．５〜５ｍｍとするのが好ましい。
【００５９】
前記非プレス部１５は、前記外側吸収体エンボス１２及び内側吸収体エンボス１３の周囲にも形成するのが望ましい。
【００６０】
前記吸収体４にコアプレス１０及び外側吸収体エンボス１２、内側吸収体エンボス１３及び幅方向吸収体エンボス１４を形成するには、前記コアプレス１０及び各エンボス１２、１３、１４に対応する凸部が形成された凸ロールによってコアプレス１０及び各エンボス１２、１３、１４を同時に施してもよいし、コアプレス１０を形成した後、次工程で各エンボス１２、１３、１４を形成してもよい。前記コアプレス１０、中央プレス部１６及び各エンボス１２、１３、１４は、底部の圧搾密度をほぼ同等とし、毛管作用による体液の引き込み力をほぼ均等にし、体液拡散の偏りを生じなくするため、ほぼ同等の溝深さで形成するのが好ましい。
【００６１】
〔長手方向表面エンボス〕
本生理用ナプキン１では、図１に示されるように、前記表面シート３の外面に表面シート３から吸収体４までの間を一体的に裏面シート２側に向けて窪ませた長手方向表面エンボス２０が、生理用ナプキン１の幅方向中央部に長手方向に沿って延びるとともに、前記幅方向吸収体エンボス１４を横断するように形成されている。前記長手方向表面エンボス２０は、体液排出部Ｈに対応する領域における体液を途中で幅方向に拡散させつつ、吸収体４の後側に向けて拡散させ、吸収体４の広い範囲を有効活用するためのものである。
【００６２】
前記長手方向表面エンボス２０は、着用者の体液排出部Ｈに対応する領域から生理用ナプキン１の後側に延びるように設けるのが好ましい。これにより、体液排出部対応領域の体液を後側に拡散させることができ、吸収体の広い範囲を有効活用できるようになる。前記長手方向表面エンボス２０は、着用者の体液排出部Ｈ、具体的に膣口の直ぐ後側から形成するのが好ましい。図１に示される形態例では、前記長手方向表面エンボス２０が、内側吸収体エンボス１３の後側に離隔して配置されている。
【００６３】
前記長手方向表面エンボス２０の後端は、着用者の臀部溝に対応する領域の中間までとするのが好ましい。あまり吸収体４の後側まで延在させると、吸収体４の後端からの漏れが生じるおそれがある。具体的には、臀部溝の周囲を囲むように形成された前記外側吸収体エンボス１２の後側部分のうち、長手方向中央部を若干後側に越えたあたりまでとするのが好ましい。
【００６４】
前記長手方向表面エンボス２０の溝幅は、小さすぎると体液が流れにくく、大きすぎると装着時の違和感を生じるため、２〜１０ｍｍが好ましい。前記長手方向表面エンボス２０の溝幅は、全長に亘ってほぼ一定でもよいし、途中で変化させてもよい。変化させる場合の例としては、前記幅方向吸収体エンボス１４を横断する部分で溝幅を相対的に大きくすることにより、幅方向吸収体エンボス１４に体液を流れ込みやすくしてもよい。また、長手方向表面エンボス２０を流れる体液が幅方向吸収体エンボス１４に流れ込むことによって、長手方向表面エンボス２０の流量が幅方向吸収体エンボス１４を通過する毎に減少するのに合わせて、吸収体４の後側に向けて徐々に、又は前記幅方向吸収体エンボス１４を通過する毎に段階的に溝幅を小さくしてもよい。これにより、後側の溝幅を小さくできるため、装着時の違和感が軽減できる効果も期待できる。
【００６５】
前記長手方向表面エンボス２０は、図１に示されるように、低圧搾部２１と高圧搾部２２とを有し、前記高圧搾部２２が長手方向表面エンボス２０が延びる方向に沿って間隔を空けて複数配置されるのが好ましい。前記低圧搾部２１とは相対的に溝深さが浅く形成された部分であり、前記高圧搾部２２とは相対的に溝深さが深く形成された部分である。図１では、高圧搾部２２を黒塗り部分で表し、その他の白色部分は低圧搾部２１である。前記低圧搾部２１と高圧搾部２２とを有することにより、高圧搾部２２において溝深さが深くなるため、エンボス溝の底面を流れる体液の流れが急激に変化することにより、流速を低下させる効果が生じるようになる。
【００６６】
また、前記高圧搾部２２の少なくとも一部に、前記非プレス部１５の少なくとも一部が重なるように配置された高圧搾部２２を含んでいるのが好ましい。前記長手方向表面エンボス２０を施す際、高圧搾部２２が非プレス部１５に重なるように配置することにより、未圧搾のために復元力が大きな非プレス部１５が圧搾後に復元することなく、前記高圧搾部２２によって確実に圧搾状態が保持され、前記長手方向表面エンボス２０が確実に形成できるようになる。また、非プレス部１５に高圧搾部２２が重ねて配置されることにより、非プレス部１５に吸収された体液が繊維が高密度化された高圧搾部２２に毛管作用により引き込まれやすくなるため、体液の吸収速度が向上できる。
【００６７】
前記高圧搾部２２は、硬くなり装着感が悪化するのを防止するため、面積が１ｃｍ２以下であるのが好ましい。このときの平面形状は特に限定されないが、エンボス溝が延びる方向に沿った長さが、エンボス溝の幅方向の長さの１．５倍以上であると、エンボス溝が延びる方向に沿った体液の流れが生じやすいため、好ましい。図１に示される例では、エンボス溝が延びる方向に長い略菱形に形成されている。
【００６８】
隣り合う高圧搾部２２、２２の離隔距離は、２〜２０ｍｍが好ましい。２ｍｍより小さいと、非プレス部１５に体液が浸透しにくく、２０ｍｍより大きいと高圧搾部２２における流速の低減効果があまり期待できない。
【００６９】
前記高圧搾部２２は、前記幅方向吸収体エンボス１４の少なくとも前側に近接して配置するのが好ましい。これにより、長手方向表面エンボス２０を前側から後側に向けて流れる体液の流速が高圧搾部２２において低減された直後に幅方向吸収体エンボス１４が位置することとなり、幅方向吸収体エンボス１４に体液が流れ込みやすくなる。また、前記高圧搾部２２が基点となって、長手方向表面エンボス２０を流れる体液を幅方向吸収体エンボス１４に分散させやすくなる。高圧搾部２２の具体的な配置位置としては、高圧搾部２２の後端部が幅方向吸収体エンボス１４の前側に隣接する非プレス部１５と重なる位置とするのが好ましい。
【００７０】
前記低圧搾部２１の溝深さは、前記吸収体４に形成されたコアプレス１０及び各エンボス１２、１３、１４とほぼ同等またはこれより若干深くするのが好ましい。
【００７１】
以上の構成からなる本生理用ナプキン１の体液の流れについて、図７に基づいて詳細に説明する。着用者の体液排出部Ｈに対応する領域に排出された体液が長手方向表面エンボス２０に流れ込んで、この長手方向表面エンボス２０の溝内を後側に向けて流れる。その途中で、長手方向表面エンボス２０の側面から表面シート３を浸透して幅方向吸収体エンボス１４に体液が流れ込む。幅方向吸収体エンボス１４に流れ込んだ体液は、幅方向吸収体エンボス１４の周囲に密度が小さく繊維間空隙が大きな非プレス部１５が設けられているため、この非プレス部１５を構成する繊維との接触により非プレス部１５の繊維間に毛管作用により吸収される。その後、非プレス部１５に吸収された体液は、繊維間空隙が小さな隣接するコアプレス１０に毛管作用によって引き込まれるとともに、コアプレス１０によって区画された各格子部に浸透して保持される。また、長手方向表面エンボス２０を後側に向けて流れる体液は、底面に高圧搾部２２が設けられる場合には、その作用によって流速が徐々に低下しつつ、側面から表面シート３を浸透して吸収体４に吸収され、コアプレス１０によって区画された各格子部やコアプレス１０部分に保持される。このように、長手方向表面エンボス２０が幅方向吸収体エンボス１４に流れ込むことによって吸収体４に素早く吸収保持されるため、吸収速度が低下することなく、吸収体４の広い範囲に体液を拡散させて吸収することができ、吸収体の備える吸収容量を有効活用することができる。また、長手方向表面エンボス２０を流れる体液の流量が減少し、長手方向表面エンボス２０の後側に勢いよく体液が流れなくなるため、端部に達した体液による後漏れが防止できる。
【符号の説明】
【００７２】
１…生理用ナプキン、２…裏面シート、３…表面シート、４…吸収体、５…被包シート、７…サイド不織布、１０…コアプレス、１１…線状プレス部、１１ａ…第１の線状プレス部、１１ｂ…第２の線状プレス部、１２…外側吸収体エンボス、１３…内側吸収体エンボス、１４…幅方向吸収体エンボス、１５…非プレス部、２０…長手方向表面エンボス、２１…低圧搾部、２２…高圧搾部